(57)【要約】  ピアツーピア通信シグナリング使用との、広域ネットワーク（ＷＡＮ）ダウンリンク帯域幅の共有に関する方法および装置が開示される。基地局接続点を使用するＷＡＮ（例えばセルラー方式）無線通信装置は、そのピアツーピア送信電力レベルを制御するために、ピアツーピア無線通信装置によって使用されるべき信号を送信する。このピアツーピア無線通信装置は、ＡＷＮ無線通信装置からの電力制御信号の強度を受信および測定する。この測定情報は、ピアツーピア信号送信が許容されるか否かの決定において、および／またはピアツーピア送信電力レベルの決定において、ピアツーピア無線通信装置によって使用される。こうして、ＷＡＮ装置は、そのＷＡＮ基地局ダウンリンク信号の回復に影響を与える近隣のピアツーピア装置からの干渉を管理することができる。【選択図】    図１
2010532967.tif 000002
【特許請求の範囲】
【請求項１】
第二の通信装置と通信するために基地局によって使用されるダウンリンク周波数帯域をピアツーピア通信のために使用するように、第一の通信装置を動作させる方法であって：該方法は、
前記第二の通信装置によって送信される信号を受信することと；
受信された前記信号からピアツーピア信号送信電力レベルを決定すること
を含んでなる方法。
【請求項２】
請求項１に記載の方法であって、前記決定されたピアツーピア信号送信電力レベルが最大許容送信電力レベルである方法。
【請求項３】
請求項２に記載の方法であって、前記受信された信号からピアツーピア信号送信電力レベルを決定することが、
前記受信された信号の電力を測定することと、
前記測定された信号電力レベルの関数として、前記最大送信電力レベルを計算すること
を含んでなる方法。
【請求項４】
請求項３に記載の方法であって、前記最大送信電力レベルを計算するために使用される前記関数が、前記第一の通信装置に対応する幾つかのレベルに依存する方法。
【請求項５】
請求項４に記載の方法であって、前記第一の通信装置が緊急サービスレベルに対応するときに、前記関数は、前記第一の通信装置が非緊急サービスレベルに対応するときよりも高い最大送信電力レベルを生じる方法。
【請求項６】
請求項３に記載の方法であって、前記関数は、より高い測定された信号電力レベルについては、より低い測定された信号電力レベルについてよりも低い最大送信電力レベルを生じる方法。
【請求項７】
請求項３に記載の方法であって、前記関数は、前記測定された信号電力が第一の値でああるときには第一の最大送信電力レベルを計算し、また前記測定された信号電力が前記第一の値よりも低い第二の値であるときには、前記第一の最大送信電力レベルよりも高い第二の最大送信電力レベルを計算する方法。
【請求項８】
請求項３に記載の方法であって、前記計算された最大送信電力レベルが前記測定された信号電力レベルに反比例する方法。
【請求項９】
請求項２に記載の方法であって、更に、
ピアツーピア信号を、前記決定されたピアツーピア送信電力レベル以下の実際の電力レベルでピア通信装置へ送信することを含んでなる方法。
【請求項１０】
請求項９に記載の方法であって、更に、
前記ピアツーピア信号を送信する前に、前記ピア通信装置から受信した信号に基づいて、計画されたピアツーピア送信電力レベルを決定することと、
前記実際の送信電力レベルを、前記計画されたピアツーピア送信電力レベルが前記決定されたピアツーピア送信電力レベルよりも低いときには、前記計画されたピアツーピア送信電力レベルに設定すること
を含んでなる方法。
【請求項１１】
請求項２に記載の方法であって、前記第二の通信装置から受信された信号が、前記基地局に向けられた信号である方法。
【請求項１２】
請求項１１に記載の方法であって、基地局に向けられた信号は、反復時間スロットにおいて送信される制御信号である方法。
【請求項１３】
請求項１１に記載の方法であって、前記基地局に向けられる信号がＣＤＭＡパイロット信号である方法。
【請求項１４】
請求項１１に記載の方法であって、前記基地局に向けられた信号がトーンホッピングされたＯＦＤＭ信号である方法。
【請求項１５】
請求項１に記載の方法であって、前記第二の通信装置から受信された信号が一斉通信電力参照信号である方法。
【請求項１６】
ピアツーピア通信のためにダウンリンク周波数帯域を使用するように構成された第一の通信装置において使用するためのプロセッサを含んでなり、前記ダウンリンク周波数帯域は第二の通信装置と通信するために基地局により使用される装置であって：前記プロセッサは、
前記第二の通信装置により送信される信号を受信し；
前記受信された信号からピアツーピア信号送信電力レベルを決定する
ように構成された装置。
【請求項１７】
請求項１６に記載の装置であって、前記決定されたピアツーピア信号送信電力レベルは最大許容送信電力レベルである装置。
【請求項１８】
請求項１７に記載の装置であって、前記プロセッサは更に、
ピアツーピア信号を、前記決定されたピアツーピア送信電力レベル以下の実際の電力レベルでピア通信装置へと送信する
ように構成される装置
【請求項１９】
請求項１７に記載の装置であって、前記第二の通信装置から受信された信号が前記基地局に向けられた信号である装置。
【請求項２０】
請求項１６に記載の装置であって、前記第二の通信装置から受信された信号が一斉送信電力参照信号である装置。
【請求項２１】
ピアツーピア通信のために、ダウンリンク周波数帯域を使用するように第一の通信装置を制御するための機械で実行可能な命令を組込んでなり、前記ダウンリンク周波数帯域は第二の通信装置と通信するために基地局により使用されるコンピュータ読取り可能な媒体であって：前記方法が、
前記第二の通信装置により送信された信号を受信することと
前記受信された信号からピアツーピア信号送信電力レベルを決定すること
を含んでなる媒体。
【請求項２２】
請求項２１に記載のコンピュータ読取り可能な媒体であって、前記決定されたピアツーピア信号送信電力レベルは最大許容送信電力レベルである媒体。
【請求項２３】
請求項２２に記載のコンピュータ読取り可能な媒体であって、更に、
ピアツーピア信号を、前記決定されたピアツーピア送信電力レベル以下の実際の電力レベルでピア通信装置へと送信するための、機械で実施可能な命令を組込んでなる媒体。
【請求項２４】
請求項２２に記載のコンピュータ読取り可能な媒体であって、前記第二の通信装置から受信された信号が、前記基地局に向けられる信号である媒体。
【請求項２５】
請求項２１に記載のコンピュータ読取り可能な媒体であって、前記第二の通信装置から受信された信号が一斉通信電力参照信号である媒体。
【請求項２６】
ピアツーピア通信のためにダウンリンク周波数帯域の使用をサポートする第一の通信装置であって、前記ダウンリンク周波数帯域は第二の通信装置と通信するために基地局により使用され、また前記第一の通信装置は、
前記第二の通信装置により送信される信号を受信するための無線受信器と；
前記受信された信号からピアツーピア信号送信電力レベルを決定するための、ピアツーピア信号送信電力レベル決定モジュール
を含んでなる通信装置。
【請求項２７】
請求項２６に記載の第一の通信装置であって、前記ピアツーピア信号送信電力レベル決定モジュールは、最大許容送信電力レベルを決定する通信装置。
【請求項２８】
請求項２７に記載の第一の通信装置であって、更に、
受信された信号の電力を測定して測定された信号電力レベルを得るための受信信号電力測定モジュールを含んでなり、また
前記ピアツーピア信号送信電力レベル測定モジュールは、前記最大送信電力レベルを、前記測定された信号電力レベルの関数として計算するための計算副モジュールを含んでいる装置。
【請求項２９】
請求項２８に記載の第一の通信装置であって、更に、
第一の通信装置に対応する現在のサービスレベルを同定するためのサービスレベル同定モジュールを含んでなり、
前記最大送信電力レベルを計算するために使用される前記関数が、前記第一通信装置に対応したサービスレベルに依存する装置。
【請求項３０】
請求項２９に記載の第一の通信装置であって、前記同定されたサービスレベルが緊急サービスレベルに対応するときは、前記関数は、前記関数により使用される少なくとも一組の他の入力変数について、前記サービスレベルが非緊急サービスレベルに対応するときよりも高い最大送信電力レベルを生じる装置。
【請求項３１】
請求項２８に記載の第一の通信装置であって、前記関数は、より高い測定された信号電力レベルについて、より低い測定された信号電力レベルについてよりも低い最大送信電力レベルを生じる装置。
【請求項３２】
請求項２８に記載の第一の通信装置であって、前記関数は、前記測定された信号電力が第一の値であるときには第一の最大送信電力レベルを計算し、また前記測定された信号電力が前記第一の値よりも低い第二の値であるときは、前記第一の最大送信電力レベルよりも高い第二の最大送信電力レベルを計算する装置。
【請求項３３】
請求項２８に記載の第一の通信装置であって、前記計算された最大送信電力レベルは、ある範囲の測定された信号電圧レベルについて該測定された信号電圧レベルに反比例する装置、
【請求項３４】
請求項２７に記載の第一の通信装置であって、更に、
ピアツーピア信号を、前記決定された最大許容ピアツーピア送信電力レベル以下の実際の電力レベルで、ピアツーピア通信装置へと送信するための無線送信モジュールを含んでなる装置。
【請求項３５】
請求項３４に記載の第一の通信装置であって、更に、
前記ピア通信装置から受信された信号に基づいて、計画されたピアツーピア送信電力レベルを決定するためのピアツーピア送信電力制御ループモジュールと、
前記計画されたピアツーピア送信電力レベルが前記決定された最大許容ピアツーピア送信電力レベルよりも低いときは、前記実際の送信電力レベルを、前記計画されたピアツーピア送信電力レベルに設定するためのピアツーピア送信電力制御モジュール
を含んでなる装置。
【請求項３６】
請求項２７に記載の第一の通信装置であって、前記第二の通信装置から受信された信号が、前記基地局に向けられた信号である装置。
【請求項３７】
請求項３６に記載の第一の通信装置であって、前記前記基地局に向けられた信号が、反復時間スロットにおいて送信された制御信号である装置。
【請求項３８】
請求項３６に記載の第一の通信装置であって、前記前記基地局に向けられた信号が、ＣＤＭＡパイロット信号である装置。
【請求項３９】
請求項３６に記載の第一の通信装置であって、前記前記基地局に向けられた信号が、単一トーンホップされたＯＦＤＭ信号である装置。
【請求項４０】
請求項２６に記載の第一の通信装置であって、前記第二の通信装置から受信された信号が、一斉通信電力参照信号である装置。
【請求項４１】
ピアツーピア津親のためにダウンリンク周波数帯域の使用をサポートする第一の通信装置
ピアツーピア通信のためにダウンリンク周波数帯域の使用をサポートする第一の通信装置であって、前記ダウンリンク周波数帯域は第二の通信装置と通信するために基地局により使用され、また前記第一の通信装置は、
前記第二の通信装置により送信された信号を受信するための無線受信機手段と、
前記受信された信号からピアツーピア信号送信電力レベルを決定するための手段
を含んでなる装置。
【請求項４２】
請求項４１に記載の第一の通信装置であって、前記決定するための手段は、最大許容送信電力レベルを決定する装置。
【請求項４３】
請求項４２に記載の第一の通信装置であって、更に、
前記受信された信号の電力を測定して、測定された信号電力レベルを得るための手段を含んでなり、また
前記決定するための手段は、前記最大送信電力レベルを、前記測定された信号電力レベルの関数として計算するための計算手段を含んでいる装置。
【請求項４４】
請求項４２に記載の第一の通信装置であって、更に、
ピアツーピア信号を、前記決定された最大許容ピアツーピア送信電力レベル以下の実際の電力レベルで、ピア通信装置へと送信するための手段
を含んでなる装置。
【請求項４５】
請求項４１に記載の第一の通信装置であって、前記第二の通信装置から受信された信号が、一斉通信電力参照信号である装置。
【請求項４６】
モバイル通信装置を動作させる方法であって、
基地局から信号を受信することと、
該受信された信号に基づいて、ピアツーピア電力参照信号を一斉通信すること
を含んでなる方法。
【請求項４７】
請求項４６に記載の方法であって、更に、前記一斉通信を行う前に、
前記受信された信号の電力を測定することと、
該測定された電力の関数として一斉通信すべき参照信号を決定すること
を含んでなる方法。
【請求項４８】
請求項４７に記載の方法であって、前記測定された電力の関数は、基地局からモバイル通信装置へと通信されるダウンリンク信号についての、モバイル目標信号／ノイズ比に依存する方法。
【請求項４９】
請求項４８に記載の方法であって、前記参照信号を決定することは、前記目標信号／ノイズ比がより低い少なくともある時点でよりも目標信号／ノイズ比が高いときに、より高い送信電力を有する参照信号を発生させることを含んでいる方法。
【請求項５０】
請求項４８に記載の方法であって、更に、
前記基地局から受信された信号の測定された信号電力と測定された干渉電力レベルとの比から、前記参照信号を決定するために使用すべきモバイルノード目標信号／ノイズ比を決定することを含んでなる方法。
【請求項５１】
請求項５０に記載の方法であって、前記干渉電力レベルは、主に他の基地局からの干渉に起因するものである方法。
【請求項５２】
請求項５０に記載の方法であって、前記測定された干渉電力レベルは、主にピアツーピア通信からの干渉に起因するものである方法。
【請求項５３】
請求項４８に記載の方法であって、前記参照信号を決定することは、測定された受信電力がより低い時点でよりも測定された受信信号電力が高いときは、より低い送信電力を有する参照信号を発生させることを含んでいる方法。
【請求項５４】
請求項４８に記載の方法であって、前記参照信号を決定することは、電力が低いほど受信電力が高い参照信号を発生させることを含んでいる方法。
【請求項５５】
請求項４８に記載の方法であって、前記参照信号を決定することは、前記基地局からの信号の測定された電力が、該基地局からの信号の測定された電力がより低い別の時点でよりも大きいときには、より高い最大許容ピアツーピア送信電力レベルを指示する参照信号を発生させることを含んでいる方法。
【請求項５６】
請求項５５に記載の方法であって、前記一斉通信ピアツーピア電力参照信号の送信電力レベルは、最大ピアツーピア送信電力レベルを通信するために使用される方法。
【請求項５７】
請求項５６に記載の方法であって、より高い送信電力は、より低い許容されたピアツーピア送信電力レベルを示す方法。
【請求項５８】
請求項４７に記載の方法であって、前記ピアツーピア電力参照信号を一斉通信するステップは、予め定められたパターンに従って反復ベースで行われる方法。
【請求項５９】
請求項４７に記載の方法であって、更に、
ピアツーピア干渉信号測定を行って、ピアツーピア通信に起因したダウンリンク干渉の量を測定する方法。
【請求項６０】
請求項５９に記載の方法であって、前記一斉送信は
ｉ）測定されたピアツーピアダウンリンク干渉が第一の閾値を越えるのを決定する、および
ｉｉ）前記基地局からの信号の測定された受信電力に対する測定されたピアツーピアダウンリンク干渉の比が、第二の閾値を越えるのを決定すること
のうちの少なくとも一つに応答して行われる方法。
【請求項６１】
請求項４７に記載の方法であって、更に、
ダウンリンク信号品質をモニターすることを含んでなり、
前記一斉通信は、ダウンリンク信号品質が閾値未満に低下したことの検出に応答して行われる方法。
【請求項６２】
モバイル通信装置において使用するためのプロセッサを含んでなる装置であって、
前記プロセッサは、
基地局からの信号を受信し、
該受信された信号に基づいて、ピアツーピア電力参照信号を一斉通信する
ように構成されている装置。
【請求項６３】
請求項６２に記載の装置であって、前記プロセッサは前記一斉通信を行う前に、更に、
前記受信された信号の電力を測定し、また
一斉通信すべき参照信号を測定された電力の関数として決定する
ように構成される装置。
【請求項６４】
請求項６３に記載の装置であって、前記測定された電力の関数は、基地局からモバイル通信装置へと通信されたダウンリンク信号についての、モバイル目標信号／ノイズ比に依存する装置。
【請求項６５】
請求項６３に記載の装置であって、前記プロセスは更に、
ピアツーピア干渉信号測定を行って、ピアツーピア通信に起因したダウンリンク干渉の量を測定するように構成される装置。
【請求項６６】
請求項６３に記載の装置であって、前記プロセスは更に、
ダウンリンク信号品質をモニターするするように構成され、また
前記一斉通信は、ダウンリンク信号品質が閾値未満に低下したことを検出することに応答して行われる装置。
【請求項６７】
モバイル通信装置を動作させるための機械で実施可能な命令を組込んだコンピュータ読取り可能な媒体であって、前記方法は、
基地局から信号を受信することと、
該受信された信号に基づいて、ピアツーピア電力参照信号を一斉通信すること
を含んでなる媒体。
【請求項６８】
請求項６７に記載のコンピュータ読み取り可能な媒体であって、前記一斉通信の前に、更に、
受信された信号の電力を測定し、また
一斉通信すべき参照信号を、前記測定された電力の関数として決定する
ための機械で実施可能な命令を組込んでいる媒体。
【請求項６９】
請求項６８に記載のコンピュータ読み取り可能な媒体であって、前記測定された電力の関数が、基地局からモバイル通信装置へと通信されたダウンリンク信号についてのモバイル目標信号／ノイズ比に依存する媒体。
【請求項７０】
請求項６８に記載のコンピュータ読み取り可能な媒体であって、更に、
ピアツーピア通信に起因するダウンリンク干渉の量を測定するためにピアツーピア干渉信号測定を行うための
機械で実施可能な命令を組込んでなる媒体。
【請求項７１】
請求項６８に記載のコンピュータ読み取り可能な媒体であって、更に、
ダウンリンク信号品質をモニタリングするための機械で実施可能な命令を組込んでなり、
前記一斉通信は、ダウンリンク信号品質が閾値未満に低下したことの検出に応答して行われる媒体。
【請求項７２】
モバイル通信装置であって、
基地局からの信号を受信するための無線受信器モジュールと、
前記受信された信号に基づいてピアツーピア電力参照信号を一斉通信するための無線送信機モジュール
を備えてなる通信装置。
【請求項７３】
請求項７２に記載のモバイル通信装置であって、更に、
前記受信された信号の電力を測定するための電力測定モジュールと、
該測定された電力の関数としてピアツーピア電力参照信号を決定するための参照信号決定モジュール
を含んでなる通信装置。
【請求項７４】
請求項７２に記載のモバイル通信装置であって、前記測定された電力の関数は、基地局からモバイル通信装置へと通信されたダウンリンク信号についてのモバイル目標信号／ノイズ比に依存する通信装置。
【請求項７５】
請求項７４に記載のモバイル通信装置であって、前記参照信号決定モジュールは、目標信号／ノイズ比がより低い少なくとも一つの時点でよりも前記目標信号／ノイズ比が高いときに、より高い送信電力を有する参照信号を発生する通信装置。
【請求項７６】
請求項７４に記載のモバイル通信装置であって、更に、
基地局から受信された信号の測定された信号電力および測定された干渉電力レベルの比を含む情報から、前記モバイル目標信号／ノイズ比を決定するためのモバイルノード目標信号／ノイズ比決定モジュール
を含んでなる通信装置。
【請求項７７】
請求項７６に記載のモバイル通信装置であって、更に、
前記測定された干渉電力レベルを決定するための干渉決定モジュールを含んでなり、前記測定された干渉電力レベルは、主に他の基地局からの干渉に起因するものである通信装置。
【請求項７８】
請求項７６に記載のモバイル通信装置であって、更に、
前記測定された干渉電力レベルを決定するための干渉決定モジュールを含んでなり、前記測定された干渉電力レベルは、主にピアツーピア通信からの干渉に起因するものである通信装置。
【請求項７９】
請求項７６に記載のモバイル通信装置であって、更に、
前記測定された干渉電力レベルを決定するための干渉決定モジュールを含んでなり、前記測定された干渉電力レベルは、主に他の基地局およびピアツーピア通信の両者からの干渉に起因するものであり、またこれら二つの発生源からの相対的寄与が経時的に変化する通信装置。
【請求項８０】
請求項７４に記載のモバイル通信装置であって、前記参照信号決定モジュールは、測定された受信電力がより低い時点でよりも前記受信信号電力が高いときに、より低い送信電力を有する参照信号を発生する通信装置。
【請求項８１】
請求項７４に記載のモバイル通信装置であって、前記参照信号発生モジュールは、より高い受信電力に応答して、より低い電力レベルをもった参照信号を発生する通信装置。
【請求項８２】
請求項７４に記載のモバイル通信装置であって、前記参照信号決定モジュールは、基地局からの信号の測定された電力がより低いもう一つの時点でよりも前記基地局からの信号の測定された電力が大きいときに、より高い最大許容ピアツーピア送信電力レベルを示す参照信号を発生する通信装置。
【請求項８３】
請求項８２に記載のモバイル通信装置であって、一斉通信ピアツーピア参照信号の送信電力レベルが、最大ピアツーピア送信電力レベルを通信するために使用される通信装置。
【請求項８４】
請求項８３に記載のモバイル通信装置であって、前記より高い送信電力は、より低い許容ピアツーピア送信電力レベルを示す通信装置。
【請求項８５】
請求項７３に記載のモバイル通信装置であって、更に、
ピアツーピア参照信号を一斉通信するための時間間隔を同定する反復スケジュール情報を含むメモリーと、
前記反復スケジュール情報に従って予め定められたパターンに従った反復ベースでピアツーピア電力参照信号を一斉通信するために、前記送信機モジュールを制御するための送信制御モジュール
を含んでなる通信装置。
【請求項８６】
請求項７３に記載のモバイル通信装置であって、更に、
ピアツーピア干渉信号測定を行ってピアツーピア通信に起因するダウンリンク干渉の量を測定するための、ピアツーピア干渉信号測定モジュール
を含んでなる通信装置。
【請求項８７】
請求項８６に記載のモバイル通信装置であって、更に、
干渉レベル評価モジュールを含んでなり、該評価モジュールは、
ｉ）測定されたピアツーピアダウンリンク干渉が第一の閾値を越えるかどうかを決定すること：および
ｉｉ）測定されたピアツーピアダウンリンク干渉の基地局からの信号の測定された受信電圧が第二の閾値を越えるかどうかを決定すること
の少なくとも一つを行うためのものである通信装置。
【請求項８８】
請求項８７に記載のモバイル通信装置であって、更に、
試験されたレベルを超えていることを決定する前記干渉レベル評価モジュールに応答して、ピアツーピア電力参照信号を一斉通信するように前記送信機モジュールを制御するための送信機制御モジュール
を含んでなる通信装置。
【請求項８９】
請求項７３に記載のモバイル通信装置であって、更に、
ダウンリンク信号品質をモニターするためのダウンリンク品質モジュールと、
ダウンリンク信号品質が閾値未満に低下したことを検出する前記ダウンリンク品質モジュールに応答して、ピアツーピア電力参照信号を一斉通信するように前記送信機モジュールを制御するための送信機制御モジュール
を含んでなる通信装置。
【請求項９０】
バイル通信装置であって、
基地局からの信号を受信するための無線受信機手段と、
前記受信された信号に基づいて、ピアツーピア電力参照信号を一斉通信するための手段
を含んでなる通信装置。
【請求項９１】
請求項９０に記載のモバイル通信装置であって、更に、
受信された信号の電力を測定するための手段と、
該測定された電力の関数として、一斉通信すべきピアツーピア電力参照信号を決定するための手段
を含んでなる通信装置。
【請求項９２】
請求項９１に記載のモバイル通信装置であって、前記測定された電力の関数は、基地局からモバイル通信装置へと通信されるダウンリンク信号についてのモバイル目標信号／ノイズ比に依存する通信装置。
【請求項９３】
請求項９１に記載のモバイル通信装置であって、更に、
ピアツーピア通信に起因するダウンリンク干渉の量を測定するために、ピアツーピア干渉信号測定を行うための手段
を含んでなる通信装置。
【請求項９４】
請求項９１に記載のモバイル通信装置であって、更に、
ダウンリンク信号品質をモニターするための手段と、
ダウンリンク信号品質が閾値未満に低下したことの検出をモニターするための前記手段に応答して、ピアツーピア電力参照信号を一斉通信するように、前記一斉通信のための手段を制御する手段と
を含んでなる通信装置。
【発明の詳細な説明】
【発明の分野】
【０００１】
本発明は無線通信に関し、特に、少なくとも幾つかのピアツーピア無線通信装置を含む無線通信システムにおいて使用するための、方法および装置に関する。
【背景】
【０００２】
無線スペクトルは高価でかつ価値のある資源である。広域ネットワークシステム、例えばセルラーシステムにおいて、ＷＡＮに割り当てられる無線スペクトルは、時として完全に利用されることはない。斯かる十分に活用されないエアリンク資源を認識および／または利用する方法および装置が開発されれば有利であろう。このような方法および装置は、エアリンク資源の追加の使用から生じるＷＡＮ通信に対する干渉が管理し得るように適合されれば有益であろう。
【発明の概要】
【０００３】
ピアツーピア通信シグナリング用法を用いた広域ネットワーク（ＷＡＮ）ダウンリンク帯域幅の共有に関する方法および装置が記述される。ＷＡＮモード動作、例えば基地局接続点を使用するセルラー動作モードで動作する無線通信装置は、そのピアツーピア送信電力レベルの制御において、ピアツーピアモード動作で動作する無線通信装置により使用されるべき信号を送信する。
【０００４】
幾つかの実施形態において、ピアツーピア送信電力レベルを制御するために使用される信号は、基地局へ送信される信号、例えば、ＷＡＮ通信を維持する際に使用される典型的なアップリンク制御信号である。例えば、幾つかの実施形態において、この信号は、ＣＤＭＡ逆リンクパイロットチャンネル信号および信号音ＯＦＤＭ制御チャンネル信号のうちの一つである。従って、斯かる実施形態において、信号は二重の目的で作用する：（ｉ）ＷＡＮ通信リンク保守、および（ｉｉ）ピアツーピアシグナリングを起源とする干渉に関する干渉制御（該干渉制御はピアツーピア送信電力レベル御制御を介して得られる）。
【０００５】
幾つかの実施形態において、ピアツーピア送信電力レベルを制御するために使用される信号は、ピアツーピア電力参照信号であり、ＷＡＮモード動作における無線通信によって決定され、ピアツーピアモード動作御無線通信装置によって受信および使用されることを意図して一斉通信される。このようなピアツーピア送信電力参照信号は、種々の実施形態において、基地局からのダウンリンク信号に関する目標ＳＮＲが、ＷＡＮモード動作において無線通信装置に維持されるように調節される。
【０００６】
ピアツーピアモードにある無線通信装置は、ＷＡＮモードにある無線通信装置から電力制御信号を受信し、その強さを測定する。測定された情報は、ピアツーピア信号送信が許容されたかどうかを決定する際に、および／またはピアツーピア送信電力レベルを決定する際に、ピアツーピア無線端末によって使用される。
【０００７】
ピアツーピア通信のためにダウンリンク周波数帯域を使用する第一の通信装置を動作させる一つの例示的方法であって、前記ダウンリンク周波数帯域は、第二の通信装置と通信するために基地局によって使用される方法において、前記第二の通信装置によって送信された信号を受信することと；該受信された信号からピアツーピア信号送信電力レベルを決定する工程とを含んでなる方法。この決定されたピアツーピア信号送信電力レベルは、例えば最大の許容されたピアツーピア送信電力レベルである。
【０００８】
ピアツーピア通信のためにダウンリンク周波数帯域の使用をサポートする例示的な第一の通信装置であって、前記ダウンリンク周波数帯域が第二の通信装置と通信するために基地局によって使用される装置は、前記第二の通信装置により送信される信号を受信するための無線受信器モジュールと；前記受信された信号からピアツーピア信号送信電力レベルを決定するためのピアツーピア信号送信電力レベル決定モジュールを備えている。幾つかの実施形態において、該ピアツーピア信号送信電力レベル決定モジュールは、最大の許容されたピアツーピア送信電力レベルを決定する。
【０００９】
モバイル通信装置を動作させる例示的方法は、基地局から信号を受信することと；該受信された信号に基づいてピアツーピア電力参照信号を一斉通信することを含んでいる。種々の実施形態において、この方法は更に、前記一斉通信を行う前に、前記受信された信号の電力を測定することと；前記測定された電力の関数として、前記一斉通信されるべき参照信号を決定することを含んでいる。
【００１０】
例示的なモバイル通信装置は、基地局から信号を受信するための無線受信器モジュールと；該受信された信号に基づいてピアツーピア電力参照信号を一斉通信するための無線送信機モジュールを備えている。種々の実施形態において、該モバイル通信装置は更に、前記受信された信号の電力を測定するための電力測定モジュールと；前記一斉通信されるべきピアツーピア電力参照信号を前記測定された電力の関数として決定するための参照信号決定モジュールを含んでいる。
【００１１】
上記の概要において種々の実施形態を議論してきたが、必ずしも全ての実施形態が同じ特徴を含むものではなく、幾つかの実施形態において、上記で述べた特徴の幾つかは必要ではないが望ましいものではあり得る。多くの追加の特徴、実施形態および利点が、以下の詳細な説明で議論される。
【図面の簡単な説明】
【００１２】
【図１】図１は、広域ネットワークのため、例えばセルラー通信のために時分割復信（ＴＤＤ）を利用する幾つかの実施形態における、例示的な帯域幅使用を示す図である。
【図２】図２は、広域ネットワークのため、例えばセルラー通信のために周波数分割復信（ＦＤＤ）を利用する幾つかの実施形態における、例示的な帯域幅使用を示す図である。
【図３】図３は、種々の実施形態に従う例示的通信システムおよび周波数帯域使用テーブルを含む図である。
【図４】図４は、種々の実施形態に従って、ピアツーピア通信をサポートする無線端末を動作させる例示的方法のフローチャートである。
【図５】図５は、種々の実施形態に従って、そのネットワーク接続点として基地局を使用する無線端末を動作させる例示的方法のフローチャートである。
【図６】図６は、種々の実施形態に従って、そのネットワーク接続点として基地局を使用する無線端末を動作させる例示的方法のフローチャートである。
【図７】図７は、種々の特徴を図示および記述するために使用される、種々の実施形態に従った例示的通信システムの図である。
【図８】図８は、種々の実施形態に従う例示的通信装置および例示的シグナリングを含み、且つ例示的特徴を示す図である。
【図９】図９は、種々の実施形態に従う例示的通信装置および例示的シグナリングを含み、且つ例示的特徴を示す図である。
【図１０】図１０は、種々の実施形態に従う例示的通信装置および例示的シグナリングを含み、且つ例示的特徴を示す図である。
【図１１】図１１は、ピアツーピア通信のためにダウンリンク周波数帯域を使用する第一の通信装置を動作させる例示的方法のフローチャートであり、前記ダウンリンク周波数帯域は第二の通信装置と通信するために基地局によって使用される。
【図１２】図１２は、ピアツーピア通信のためにダウンリンク周波数帯域を使用する第一の通信装置を動作させる例示的方法のフローチャートであり、前記ダウンリンク周波数帯域は第二の通信装置と通信するために基地局によって使用される。
【図１３】図１３は、種々の実施形態に従ってモバイル通信装置を動作させる例示的方法、例えば、モバイルノード支援セルラー通信のフローチャートである。
【図１４】図１４は、種々の実施形態に従ってモバイル通信装置を動作させる例示的方法、例えば、モバイルノード支援セルラー通信のフローチャートである。
【図１５】図１５は、種々の実施形態に従ってモバイル通信装置を動作させる例示的方法、例えば、モバイルノード支援セルラー通信のフローチャートである。
【図１６】図１６は、例示的通信装置、例えば、ピアツーピア通信をサポートするモバイルノードのような無線端末の図である。
【図１７】図１７は、一実施形態に従う例示的モバイル通信装置、例えば、広域ネットワーク（ＷＡＮ）通信、例えばセルラー通信をサポートし、またピアツーピア通信に影響を与えるために使用される情報の同時通信をサポートする例示的モバイル無線端末の図である。
【詳細な説明】
【００１３】
図１は、広域ネットワーク、例えばセルラー通信のための時分割復信（ＴＤＤ）を利用する幾つかの実施形態における、例示的帯域幅の使用を示す図１００である。例えば基地局に対応する広域ネットワークに関しては、同じ周波数帯域が、例えばアップリンクおよびダウンリンクの間で交互に現れるパターンにおいて共有される。例えば、広域通信、例えばセルラー通信のために使用されるＴＤＤ帯域が、ブロック（１０４，１０６，１０８，１１０）によって示されるように、（アップリンク、ダウンリンク、アップリンク、ダウンリンク）のために時間軸に沿ってそれぞれ使用される。加えて、広域ネットワーク、例えばセルラーネットワークのダウンリンクために使用されるように指定された時間間隔はまた、ピアツーピアシグナリングのために使用され、図示のように同じＴＤＤ帯域が、セルラーダウンリンクブロック（１０６，１１０）によってピアツーピアブロック（１１２，１１４）と同時にそれぞれ使用される。
【００１４】
図２は、広域ネットワーク通信、例えばセルラー通信のために周波数分割復信を利用する幾つかの実施形態における、例示的な帯域幅使用を示す図である。例えば、ある基地局に対応する広域ネットワークに関して、異なる周波数帯域がアップリンクおよびダウンリンクによって使用される。この例示的実施形態においては、周波数軸２０２に沿って、ＦＤＤ広域アップリンク帯域はブロック２０４によって表され、またＦＤＤ広域ダウンリンク帯域はブロック２０６によって表される。幾つかの実施形態において、アップリンクおよびダウンリンク帯域は隣接している。幾つかの実施形態において、アップリンクおよび／またはダウンリンク帯域は非連続的な部分を含んでいる。幾つかの実施形態において、アップリンクおよびダウンリンク帯域の一方の少なくとも一部は、アップリンクおよびダウンリンク帯域の他方の二つの異なる部分の間に含められる。
【００１５】
ＦＤＤ広域アップリンク帯域における典型的なセルベースのアップリングシグナリングに加えて、該帯域は、ピアツーピアシグナリングに関連した他の活動のために使用される。ピアツーピア無線端末はまた、ＦＤＤ広域ダウンリンク帯域２０６に対応して周波数軸２０２上に位置するブロック２０８で示されるように、同じダウンリンク帯域をピアツーピアシグナリングのために使用する。
【００１６】
図３は、種々の実施形態に従う例示的通信システム３０２、および周波数帯域使用テーブル３０４を含む図面３００である。例示的通信システム３０２において、広域ネットワークは、帯域幅をピアツーピア通信と共有する。種々の実施形態において、該広域ネットワークは配備されたシステムに対応し、またピアツーピア能力は「ａｄｄ  ｔｏ」性能を含んでいる。幾つかの実施形態においては、ＷＡＮおよびピアツーピア能力の両方が初期配備の一部である。周波数帯域使用テーブル３０４は、例示システム３０２に対応し得る二つのタイプの実施形態を示している。第一のタイプの実施形態、即ちタイプＡの実施形態において、広域ネットワークは周波数分割復信（ＦＤＤ）を使用し、また広域周波数分割復信ダウンリンク帯域は、帯域幅をピアツーピア通信活動と共有する。第二のタイプの実施形態、即ちタイプＢの実施形態においては、広域ネットワークはアップリンクおよびダウンリンクのために同じ帯域の時間分割復信（ＴＤＤ）を使用し、また該広域帯域はダウンリンク時間スロットをピアツーピア通信活動と共有する。従って、両タイプの実施形態において、ピアツーピア通信装置の間に向けられたピアツーピア通信シグナリンググは、広域ネットワーク無線端末による基地局からのダウンリンク信号の受信を妨害する可能性があり、また広域ネットワーク基地局からのダウンリンクシグナリングは、ピアツーピア通信装置によるピアツーピア通信信号の受信を妨害する可能性がある。必ずしも全ての実施形態ではないが、種々の実施形態において、一般に、広域ネットワーク無線端末による基地局からのダウンリンク信号の受信は、ピアツーピア通信に対して優先するものと考えられる。従って、無線エリアネットワーク無線端末、例えばモバイルノードを、ピアツーピア通信により発生される高レベルの干渉から保護することが望ましい。重要な要因は、ピアツーピア信号を送信するピアツーピア無線端末と、基地局からのダウンリンク信号を回復しようと試みる広域ネットワーク無線端末との間の距離である。他の要因には、ピアツーピア無線通信装置により送信される電力レベル、およびピアツーピア無線端末と広域ネットワーク無線端末との間のチャンネル条件が含まれる。
【００１７】
例示的通信システム３０２は、基地局３０６、広域ネットワーク無線端末３０８、例えばセルラーモバイルノード、第一のピアツーピア無線端末３１０、および第二のピアツーピア無線端末３１２を含んでいる。説明の目的で、基地局３０６がダウンリンク信号３１４を広域ネットワーク無線端末３０８に送信すると考えよう。広域ネットワーク無線端末３０８は、ダウンリンク３１４を受信して、通信された情報を回復しようと試みる。ピアツーピア無線端末２・３１２の立場からは、該信号３１４は基地局３０６からの干渉３１８として見られる。次に、第一のピアツーピア無線端末３１０が、ピアツーピア信号３１６をピアツーピア無線端末２・３１２に送信すると考えよう。広域ネットワーク無線端末３０８の立場からは、信号３１６は、第一のピアツーピア無線端末３１０からの干渉３２０として見える。
【００１８】
図４は、種々の実施形態に従って、ピアツーピア通信をサポートする無線端末を動作させる例示的方法のフローチャートである。動作はステップ４０２で開始し、ここではピアツーピア無線端末に電源が投入され、初期化される。動作は開始ステップ４０２からステップ４０４へと進む。ステップ４０４において、ピアツーピア無線端末は、広域ネットワークを使用する無線端末からの予め定められたタイプの信号について、アップリンク帯域をモニターする。この広域ネットワークを使用する無線端末は、例えば、セルラーシステムにおけるそのネットワーク接続点として基地局を使用する無線端末である。
【００１９】
幾つかの実施形態、例えば、広域ネットワークが現存のシステムである実施形態において、モニターされる信号は制御チャンネル信号である。例えば、一つの例示的ＯＦＤＭシステムにおいて、該信号は単一のトーンを使用する専用の制御チャンネル信号である。もう一つの例として、幾つかのＣＤＭＡ実施形態においては、該信号は逆リンク制御チャンネル信号、例えば、基地局へのアップリンクパイロット信号である。
【００２０】
幾つかの他の実施形態、例えば、広域システムの少なくとも幾つかのコンポーネントがピアツーピア動作をサポートするために使用される特殊な特徴を含んでいる実施形態においては、該信号はダウンリンク帯域におけるピアツーピア通信をサポートすることを意図した新しい一斉通信信号、例えば、単一トーンのユーザビーコン信号である。幾つかの実施形態において、広域ネットワーク無線端末は、反復スケジュールに従って、例えば基地局に接続されるときに周期的に、新しい一斉通信信号を送信する。幾つかの実施形態では、広域ネットワーク無線端末は、必要とされるときに新しい一斉通信信号を送信するが、それ以外の時には該信号を送信しない。例えば、広域ネットワーク無線端末は、ダウンリンク信号品質、例えば受信されたダウンリンク信号のＳＮＲが一定の閾値未満であるときに、新しい一斉通信信号を送信するだけである。従って、この場合、広域ネットワーク無線端末は、その送信電力レベルを低減するためにピアツーピア無線端末を近隣の場所に向けることを目的として、この新しい一斉通信信号を送信する。
【００２１】
ステップ４０４は、進行しながら実行される。動作は、検出された信号に応答してステップ４０４からステップ４０６へと進む。ステップ４０６において、ピアツーピア無線端末は検出された信号を測定し、例えば受信された電力レベルを得る。動作はステップ４０６からステップ４０８へと進む。
【００２２】
ステップ４０６において、ピアツーピア無線端末は、検出された信号の測定値の関数としてピアツーピア送信電力レベルを決定する。次いで、ステップ４１０において、ピアツーピア通信装置は、前記決定されたピアツーピア送信電力レベルを使用し、且つダウンリンク帯域を使用して、ピアツーピア信号を送信する。
【００２３】
図５は、種々の実施形態に従い、基地局をそのネットワーク接続点として使用して、無線端末を動作させる例示的方法のフローチャート５００である。動作はステップ５０２で開始され、そこでは無線端末に電源が投入され、初期化されて、ステップ５０４に進む。ステップ５０４において、無線端末は、ピアツーピア無線端末によって検出および使用されることを意図した一斉通信信号を発生させる。発生された一斉通信信号は、例えば、単一トーンＯＦＤＭユーザビーコン信号である。他のタイプの一斉通信信号は、ある時は、ピアツーピア無線端末電力制御を通信するために使用することができる。例えば、幾つかの実施形態において、信号は多重トーンＯＦＤＭ信号、例えば二つまたは三つのトーンの一斉通信信号である。幾つかの実施形態において、該信号は、受信された電力レベルを測定できる同定可能なＣＤＭＡ参照信号である。幾つかの実施形態において、ピアツーピア電力制御情報は、信号強度を介して通信される。幾つかの実施形態において、ピアツーピア電力制御情報は、該信号において通信されるコード化された情報を介して通信される。幾つかの実施形態において、ピアツーピア電力制御情報は、該信号において通信される信号強度およびコード化された情報の組み合わせを介して通信される。該信号は、ピアツーピア通信装置によって、ダウンリンク帯域へのその送信電力レベルを制御するために使用されることを意図している。動作は、ステップ５０４から５０６へと進む。
【００２４】
ステップ５０６において、無線端末は予め定められた反復スケジュールに従って、発生された信号を送信する。動作はステップ５０６から５０４へと進む。
【００２５】
図６は、種々の実施形態に従って、そのネットワーク接続点として基地局を使用する無線端末を動作させる、例示的方法のフローチャート６００である。図６は、図５に対する変形例であり、これは平均のエアリンクよりも少ないオーバーヘッドシグナリングの利点を有するが、実施において更に高レベルの複雑さを含んでいる。動作はステップ６０２で開始し、ここで無線端末に電源が投入され、初期化され、ステップ６０４へと進む。ステップ６０４では、無線端末が、ダウンリンク信号品質、例えば受信されたＳＮＲが一定の閾値未満であるかどうかを決定する。ダウンリンク信号品質が該閾値未満でなければ、動作はステップ６０４の入力へと戻る；しかし、もしダウンリンク信号品質が該閾値未満であれば、動作はステップ６０４からステップ６０６へと進む。ステップ６０６において、無線端末は、ピアツーピア無線端末により検出および使用されることを目的とした一斉通信信号を発生する。発生される一斉通信信号は、例えば単一トーンのＯＦＤＭユーザビーコン信号である。該信号は、ピアツーピア通信装置により使用されて、ダウンリンク帯域へのそのピアツーピア信号の送信電力レベルを制御することを目的とする。動作はステップ６０６からステップ６０８へと進む。
【００２６】
ステップ６０８において、無線端末は信号を送信する。動作はステップ６０８からステップ６０４へと進む。
【００２７】
図７は、種々の特徴を図示および記述するために使用される、種々の実施形態に従う例示的通信システム７００の図である。例示的通信システム７００は、基地局７０２、およびセルモードの動作で機能し且つそのネットワーク接続点として基地局７０２を使用するする複数の無線端末（ＷＴ１・７０４、ＷＴ２・７０６）を含んでいる。システム７００はまた、ピアツーピア動作モードで機能する複数の無線端末（無線端末Ａ７０８、ＷＴＢ・７１０）を含んでいる。この例示的システムにおいて、セルラー通信のために使用されるダウンリンク帯域幅は、ピアツーピア通信のためにピアツーピア無線端末によっても利用される。
【００２８】
ＢＳ７０２は、セルラー無線端末により受信されるダウンリンク信号を送信する。ＢＳ７０２からの例示的ダウンリンク信号７１２はセルラーＷＴ１・７０４により受信され、またＢＳ７０２からの例示的ダウンリンク信号７１４はセルラーＷＴ２・７０６により受信される。ダウンリンク信号７１２および７１４は、同じ信号、例えば一斉通信パイロットチャンネル信号である可能性があり、時には該同じ信号である。セルラー無線端末（７０４，７０６）はそれぞれ信号（７１８，７２２）を送信し、これらは時にはピアツーピア無線端末により使用されて、それらの送信電力レベルを制御することができる。
【００２９】
セルラー無線端末１・７０４からの例示的信号７１８は、破線円７２４のサイズに比較して小さいサイズの破線円７２０により示されるように、セルラー無線端末２・７０６により送信される信号７２２の送信電力レベルよりも低い電力レベルで送信される。該セルラー無線端末（７０４，７０６）は、基地局から受信した電力の関数として、それぞれ出力信号の電力を変化させる。例えば、セルラー無線端末１・７０４が基地局７０２に近く、高い電力レベルおよび高いＳＮＲで基地局７０２からダウンリンクパイロット信号７１２を受信し、セルラーＷＴ１・７０４は比較的低い電力信号７１８を送信すると考えよう。また、セルラー無線端末２・７０６は基地局７０２から遠く離れており、基地局７０２から、低電力レベルおよび低ＳＮＲのダウンリンクパイロット信号７１４を受信し、セルラーＷＴ２／７０６は比較的高い電力信号７２２を送信すると考えよう。
【００３０】
ピアツーピア無線端末Ａ７０８はセルラー無線端末送信信号、例えば信号７２２を受信し、その送信電力を受信された信号の関数として決定する。例えば、ピアツーピア無線端末Ａの送信電力は、ピアツーピアＷＴＡ７０８によって測定された、セルラーＷＴ２・７２２からの信号７２２の受信された電力に反比例する。種々の実施形態において、セルラー無線端末からの信号に影響されるピアツーピア無線端末について以下の関係が適用される：ＴＸＰＷＲＰｅｅｒ−Ｐｅｅｒ  は、ＲＸＰＷＲＣＥＬＬ＿ＷＴ＿ＳＩＧＮＡＬに反比例する。従って、ピアツーピア無線端末は、セルラー無線端末から低電力レベルの信号を受信したときに、より高いレベルで送信することが可能になる。
【００３１】
セルラー無線端末でのノイズに対する信号の比率は、ＳＮＲｍｏｂｉｌｅと称される。幾つかの実施形態において、セルラー無線端末におけるノイズに対する信号の比率は、基地局から受信した信号の電力レベルを、広域ネットワークからの干渉およびピアツーピア無線端末からの干渉の組み合わせで除算したものに等しい。ＳＮＲｍｏｂｉｌｅ＝Ｐｆｒｏｍ  ＢＳ／（Ｉ  ｆｒｏｍ  ＷＡＮ  ＋  Ｉ  ｆｒｏｍ  ＰＰ）。
【００３２】
セルラー無線端末、例えばモバイルでの望ましいＳＮＲを達成するために、我々は、ピアツーピア無線通信装置からの許容可能な干渉を管理し、またピアツーピア無線端末からの許容可能な干渉レベルが如何なるものであるかを考慮する。この制御された関係において、セルラー無線通信装置信号、例えば信号７２２の送信レベルが減少すれば、ピアツーピア通信装置からの干渉は増大すると予測することができる。加えて、セルラー無線端末において測定される基地局信号の受信電力が増大するに伴って、セルラー無線通信装置、例えばモバイルにおける同じ目標ＳＮＲに適合させながら、ピアツーピア無線端末からの許容可能な干渉の量を増大させることができる。
【００３３】
もし、セルラー通信装置における目標ＳＮＲ、即ち、ＳＮＲｍｏｂｉｌｅが増大すれば、許容されるピアツーピア干渉は減少するように制御される。例えば、セルラーＷＴ２・７０６についての目標ＳＮＲが増大し、ＷＴ２・７０６が信号７２２の強度を増大させ（これは円７２４のサイズを増大させるであろう）、その結果としてピアツーピアＷＴＡ７０８はより高い受信信号強度を検出し、それに応答してそのピアツーピア送信７１６の電力レベルを低下させ、それによりセルラー無線端末２・７０６が受けているピアツーピア干渉を減少させるようになっている。
【００３４】
図８は、例示的通信装置および例示的シグナリングを含み、且つ種々の実施例に従う例示的特徴を示す図８００である。図８００は例示的無線通信システムの要素を含んでおり、該要素には基地局８０２、セルラーモードの動作で動作する無線端末８０４、およびピアツーピアモードの動作で動作する無線端末８０６が含まれる。基地局８０２によって送信されるダウンリンク信号８０８は、セルラー無線端末８０４により受信され、該端末は、ボックス８１０で示されるように、受信された信号の電力をＰ２として測定する。セルラー無線端末８０４は、ボックス８１２で示すように、送信電力をＰ１に設定し、電力レファレンス一斉通信信号８１４、例えばユーザビーコン信号を送信する。セルラー無線端末８０４からの該送信された信号８１４は、チャンネル利得Ｇの通信チャンネル８１６を介して、ピアツーピア無線端末８０６へと運ばれる。このピアツーピア無線端末８０６は、電力参照信号８１４を受信し、受信された電力レベル（これはボックス８１８に示されるようにＰ１Ｇである）を測定する。ピアツーピア無線端末８０６は、ボックス８２０に示すように、そのピアツーピア送信電力レベルを１／（Ｐ１Ｇ）に設定し、ピアツーピア信号８２２を送信する。セルラー無線端末８０４の見地からの干渉信号であるピアツーピア信号８２２は、利得８１６を有する通信チャンネルによって運ばれ、セルラー無線端末８０４によって受信される。信号８２２に対応する受信されたピアツーピア干渉電力は、ブロック８２４により示されるように１／Ｐ１である。
【００３５】
ブロック８２６では、他の干渉の不存在下、例えば他の基地局からの干渉の不存在下において、受信されたＳＮＲ＝Ｐ２／（１／Ｐ１）＝（Ｐ１）（Ｐ２）であることが分かる。ブロック８２８において、我々は、目標ＳＮＲを有するセルラー無線端末の概念を導入する。ここで、セルラー無線端末におけるα＝ＳＮＲｔａｒｇｅｔである。ブロック８３０において、我々は、Ｐ１＝α／Ｐ２に従って送信電力参照信号８１４の送信電力を選択することにより、望ましいＳＮＲが目標ＳＮＲに合致するであろうことに注目する。なお、Ｐ１は、目標ＳＮＲ（α）および基地局からの受信電力（Ｐ２）の関数である。
【００３６】
広域ネットワーク、例えばセルラーネットワークからの干渉寄与が、セルラー無線端末で受信されたＳＮＲに関するピアツーピア干渉に比較して重要でないことはないシステムにおいては、セルラー無線端末での受信された信号のノイズに対する比は、ピアツーピアシグナリングからの干渉および広域ネットワークからの干渉（例えば他の基地局のダウンリンクシグナリング）の組み合わせにより除算された、基地局信号からの受信された電力に等しい。ＳＮＲｃｅｌｌｕｌａｒ＿ＷＴ＝Ｐｆｒｏｍ  ＢＳ／（Ｉｆｒｏｍ  ＰＰ＋Ｉｆｒｏｍ  ＷＡＮ）である。Ｉｆｒｏｍ  ＰＰ＞＞Ｉｆｒｏｍ  ＷＡＮである場合、この等式は次のようになる：ＳＮＲｃｅｌｌｕｌａｒ＿ＷＴ＝Ｐｆｒｏｍ  ＢＳ／Ｉｆｒｏｍ  ＰＰ。受信されたＳＮＲに等しい目標ＳＮＲαを望むときは、Ｐ１＝α／Ｐ２を選択する。
【００３７】
図９は、種々の実施形態に従う例示的通信装置および例示的シグナリングを含み、且つ例示的特徴を示した図面９００である。図面９００はセルラー無線端末９０２、例えばモバイルノードおよびピアツーピア無線端末９０４を含んでいる。セルラー無線端末９０２は、例えば図８のセルラーＷＴ８０４であり、またピアツーピア無線端末９０４は、例えば図８のピアツーピア無線端末８０６である。
【００３８】
セルラー無線端末９０２は、その現在供給されている基地局から受信されたダウンリンク信号を測定して、ブロック９０６により示される受信された電力レベルＰ２を得る。セルラー無線端末９０２はまた、ブロック９０８により示されるように、目標受信ＳＮＲ、αを有している。セルラー無線端末９０２は、ブロック９１０に示されるように、送信電力Ｐ１を有する電力参照信号を発生させるポリシーを実施する（ここで、Ｐ１＝α／Ｐ２である）。ブロック９１２に示されるように、電力参照信号９１４は送信電力レベルＰ１でセルラー無線端末９０２により送信され、利得Ｇをもった通信チャンネル９１６の下に置かれ、ピアツーピア無線端末９０４によって受信され、ブロック９１８に示されるように、該端末は受信した電力をＰ１Ｇとして測定する。ピアツーピア無線端末９０４は、ブロック９２０に示すように、そのピアツーピア送信電力を受信された電力レベルの逆数に設定するポリシーインプリメンテーション、即ち、ピアツーピアＴＸ・ＰＷＲ＝１／Ｐ１Ｇを有する。ピアツーピア無線端末９０４は、送信電力レベル１／Ｐ１Ｇで、ピアツーピア信号をもう一つのピアツーピアノードに送信する；しかし、この信号はセルラー無線端末９０２の見地からの干渉信号になると考えられる。電力レベル１／Ｐ１Ｇで送信される信号９２２は、利得Ｇの通信チャンネル９１６を介して通信され、ブロック９２４に示されるように、ピアツーピア干渉として、電力レベル１／Ｐ１でセルラー無線端末９０２によって受信される。セルラー無線端末９０２は受信されたＳＮＲを決定するが、ここで問題の信号は基地局からのものであり、ボックス９２６に示されるように、ＳＮＲ＝Ｐ２／（１／Ｐ１）である。ボックス９２８で示される最終結果は、受信されたＳＮＲ＝目標ＳＮＲ、即ちαであり、目標ＳＮＲに適合することを示す。
【００３９】
図１０は、種々の実施形態に従う例示的通信装置および例示的シグナリングを含み、且つ例示的特徴を示す図１０００である。図１０は、図９の実施形態の変形例であり、ここではピアツーピアのポリシーインプリメンテーションが変更されている。図面１０００は、セルラー無線端末１００２、例えばモバイルノードおよびピアツーピア無線端末１００４を含んでいる。
【００４０】
セルラー無線端末１００２は、その現在供給されている基地局から受信されたダウンリンク信号を測定して、ブロック１００６により示される受信された電力レベルＰ２を得る。セルラー無線端末１００２もまた、ブロック１００８で示されるように、目標受信ＳＮＲを有している。セルラー無線端末１００２は、送信電力Ｐ１をもった電力参照信号を発生させるポリシーを実施し、ここではブロック１０１０に示すように、Ｐ１＝α／Ｐ２である。該電力参照信号１０１４は、ブロック１０１２に示すように送信電力Ｐ１でセルラー無線端末１００２によって送信され、利得Ｇの通信チャンネル下に置かれ、ピアツーピア無線端末１００４によって受信され、該端末はブロック１０１８に示すようにＰ１Ｇとして受信された信号を測定する。
【００４１】
ピアツーピア無線端末１００４は、ブロック１０２０に示すように、そのピアツーピア送信電力を、受信された電力レベルの逆数を乗じた定数Ｃに設定するポリシーインプリメンテーションを有する。即ち、ピアツーピアＴＸ・ＰＷＲ＝Ｃ／Ｐ１Ｇであり、ここでのＣは一定値である。種々の実施形態において、Ｃはサービスレベル（例えば通信されるトラヒックのタイプおよび／またはユーザのタイプ）の関数である。異なるタイプのトラヒックには、例えば音声、遅延感受性のデータ、および比較的遅延感受性のデータが含まれる。異なるタイプのユーザには、例えば緊急サービスユーザ、警察職員、消防職員、政府ユーザ、管理ユーザ、第一レベルに加入した商業的ユーザ、および第二レベルに加入している商業的ユーザが含まれ、前記第二レベルはスループット要因および遅延感受性要因の少なくとも一方において前記第一レベルとは異なっている。
【００４２】
ピアツーピア無線端末１００４は、送信電力レベルＣ／Ｐ１Ｇで、ピアツーピア信号をもう一つのピアツーピアノードへと送信する；しかし、この信号はセルラー無線端末１００２の見地からは干渉信号と看做される。電力レベルＣ／Ｐ１Ｇで送信される信号１０２２は、利得Ｇを備えた通信チャンネル１０１６を介して通信され、ブロック１０２４に示すように、セルラー無線端末１００２によりピアツーピア干渉として電力レベルＣ／Ｐ１で受信される。セルラー無線端末１００２は受信されたＳＮＲを決定し、ここでの問題の信号は基地局からのものであり、ボックス１０２６に示すように、ＳＮＲ＝Ｐ２／（Ｃ／Ｐ１）である。ボックス１０２８に示すように、最終結果は次の通りである：（ｉ）Ｃ＜１については、受信されたＳＮＲ＞目標ＳＮＲα；（ｉｉ）Ｃ＝１については、受信されたＳＮＲ＝目標ＳＮＲα；Ｃ＜１については、受信されたＳＮＲ＜目標ＳＮＲα。Ｃ＜１の場合、ピアツーピア送信レベルは、セルラー無線端末のための追加のマージンを提供するであろう低減されたレベルに設定されている。Ｃ＞１の場合、ピアツーピア送信レベルは、セルラー無線通信に優先することができる増大されたレベルに設定されている。このような場合の一例は、緊急サービスがピアツーピア通信を使用しており、またＣを値＞１に設定して、そのピアツーピアシグナリングが成功する可能性を増大させ、同じダウンリンク周波数地域を同時に使用して生じ得るセルラー通信を害する場合であり、セルラー無線端末１００２は、斯かる条件の下では、ダウンリンクデータの幾つか又は全部が成功裏に回復され得ない可能性がある。
【００４３】
種々の実施形態において、セルラー無線端末Ｐ１からの電力参照信号の送信電力レベルは、Ｐ１＝関数（Ｐ２，α）であり、ここでのＰ２は基地局からの信号の受信された信号電力であり、またαは、セルラー無線端末についての受信された目標ＳＮＲである。種々の実施形態において、該関数は、Ｐ２が増大するに伴ってＰ１が減少するようなものである。種々の実施形態において、該関数は、Ｐ２が減少するに伴ってＰ１が増大するようなものである。種々の実施形態において、該関数は、αが増大するに伴ってＰ１が増大するようなものである。幾つかの実施形態において、目標ＳＮＲ、α＝関数（Ｐ２／Ｉｆｒｏｍ  ｏｔｈｅｒ  ｃｅｌｌｓ）であり、ここでのＰ２は基地局からの信号の受信された信号電力であり、またＩｆｒｏｍ  ｏｔｈｅｒ  ｃｅｌｌｓは基地局からの干渉電力を表す。
【００４４】
幾つかの実施形態において、セルラー無線端末は、ピアツーピア無線端末によって使用すべき電力参照信号を選択的に送信する。例えば、そのＳＮＲが一定のレベルに達したときにだけ、該信号を送出するに過ぎない。これは近隣のピアツーピア無線端末の影響を有する可能性があり、電力参照信号を受信して、その送信電力レベルを低下させ、電力参照信号を送出するセルラー無線通信装置が受けるピアツーピア干渉のレベルの減少をもたらす。こうして、ピアツーピア無線端末からの干渉が減少する結果として、セルラー通信装置のＳＮＲは改善される。
【００４５】
図１１は、第一の通信装置を動作させて、第二の通信装置と通信するために基地局により使用されているダウンリンク周波数帯域を、ピアツーピア通信のために使用する例示的方法のフローチャート１１００である。第一の通信装置は、例えば、ピアツーピア通信をサポートするが、広域ネットワーク通信、例えばセルラーネットワーク通信をサポートしなくてよい無線通信装置である。該第一の通信装置は、ピアツーピア動作モードで動作している。第二の通信装置は、例えば、広域ネットワーク（例えばセルラーネットワーク）通信をサポートするが、ピアツーピア通信はサポートしてもしなくてもよい無線通信装置である。この第二の通信装置は広域ネットワーク、例えばセルラーネットワークの動作モードで動作している。
【００４６】
動作はステップ１１０２で開始し、ここでは第一の通信装置に電源が投入され、初期化されて、ステップ１１０４へと進む。ステップ１１０４において、第一の通信装置は、第二の通信装置によって送信された信号を受信する。幾つかの実施形態において、第二の通信装置から受信される信号は、基地局に向けられた信号である。斯かる幾つかの実施形態において、基地局へ送信される信号は、繰返し発生する時間スロットにおいて送信される制御信号である。種々の実施形態において、第二の通信装置によって送信される信号は、ＣＤＭＡパイロット信号、例えば、逆リンクパイロット信号である。幾つかの実施形態において、基地局へ送信される信号は、単一トーンのＯＦＤＭ信号、例えば単一トーンのホッピングされたＯＦＤＭ信号である。幾つかの実施形態において、基地局へ送信される信号は専用の制御チャンネル信号である。
【００４７】
種々の実施形態において、第二の通信装置から受信される信号は、一斉通信電力参照信号である。幾つかの実施形態において、この一斉通信電力参照信号は、基地局およびピアツーピア動作モードで動作している通信装置の両者によって使用される。幾つかの実施形態において、一斉通信電力参照信号は、ピアツーピア動作モードで動作している通信装置によって使用されることを意図しているが、基地局によって使用されることは意図していない。幾つかの実施形態において、第二の通信装置が基地局と通信している間、第二の通信装置から受信される信号は、繰返し生じる時間スロットにおいて送信されている信号である。幾つかの実施形態において、第二の通信装置から受信される信号は、条件に応答して、前記第二の通信装置によって送信される信号である。例えば、該信号は、第二の通信装置で受信されたＳＮＲが許容可能なレベル未満になったときに送信される。幾つかの実施形態において、該送信される信号は、第二の通信装置が受けているピアツーピア送信干渉レベルを低減しようと試みるために送信されている。
【００４８】
動作はステップ１１０４からステップ１１０６へと進む。ステップ１１０６において、第一の通信装置は、受信された信号からピアツーピア信号送信電力レベル、例えば最大の許容された送信電力レベルを決定する。ステップ１１０６は、副ステップ１１０８および１１１０を含んでいる。副ステップ１１０８において、第一の通信装置は受信された信号の電力を測定し１１０８、また副ステップ１１１０において、第一の通信装置は前記ピアツーピア信号送信電力レベル、例えば前記最大の許容されたピアツーピア信号送信電力レベルを、前記測定された信号電力レベルの関数として計算する。
【００４９】
幾つかの実施形態において、前記最大送信電力レベルを計算するために使用される関数は、第一の通信装置に対応したサービスレベルに依存する。幾つかの斯かる実施形態において、第一の通信装置が緊急サービスレベルに対応するとき、前記関数は、第一の通信装置が非緊急サービスレベルに対応するときよりも高い送信電力レベルを生じる。
【００５０】
幾つかの実施形態において、前記最大送信電力レベルを計算するために使用される関数は、より高い測定された信号電力レベルについて、より低い測定された信号電力レベルの場合よりも低い最大送信電力を生じる。幾つかの実施形態において、前記関数は、前記測定された信号電力が第一の値であるときに前記第一の最大送信電力レベルを計算し、また前記測定された信号電力が前記第一の値よりも低い第二の値であるときには、前記第一の最大送信電力レベルよりも高い第二の最大送信電力レベルを計算する。
【００５１】
種々の実施形態において、前記計算された最大送信電力レベルは、前記関数に使用される他の入力／制御条件では一定であるとして、少なくともある範囲の測定された信号電力レベルについては、測定された信号電量レベルに反比例する。
【００５２】
動作はステップ１１０６からステップ１１１２へと進む。ステップ１１１２において、第一の通信装置は、ピアツーピア通信装置から受信された信号に基づいて、計画されたピアツーピア送信電力レベルを決定する。例えば、幾つかの実施形態において、第一の通信装置は、それがＷＡＮの干渉制御要因を考慮しなければならないのでなければ、それがピアツーピア通信のために使用したいと思う値を決定する。動作はステップ１１１２からステップ１１１４へと進む。ステップ１１１４において、第一の通信装置は、前記計画されたピアツーピア送信電力レベルが前記決定されたピアツーピア送信電力レベルよりも低いか否かを決定する。計画されたピアツーピア送信電力レベルが決定されたピアツーピア送信電力レベル、例えば最大の許容されたピアツーピア送信電力レベルよりも低ければ、動作はステップ１１１４からステップ１１１６へと進み、そうでなければ動作はステップ１１１４からステップ１１１８へと進む。
【００５３】
ステップ１１１６において、第一の通信装置は、実際の送信電力レベルを計画された送信電力レベルに設定する。動作はステップ１１１６からステップ１１２２へと進む。
【００５４】
ステップ１１１８に戻って説明すると、ステップ１１１８では、第一の通信装置が実際の送信電力レベルを、せいぜい前記決定されたピアツーピア送信電力レベルに設定する。動作はステップ１１１８からステップ１１２０へと進む。ステップ１１２０において、第一の通信装置は、実際の送信電力レベルが少なくとも最小限許容可能なピアツーピア情報回復レベルを生じることが予測されるかどうかを決定するようにチェックする。ステップ１１２０での決定が、実際の送信電力レベルは少なくとも最小限満足なピアツーピア情報回復を達成すると予測されるものであれば、動作はステップ１１２０からステップ１１２２へと進む；そうでなければ動作はステップ１１２４へと進み、そこでは第一の通信装置が少なくとも幾つかのピアツーピア信号を止めるように動作する。幾つかの実施形態において、前記第一の通信装置は、ある期間はピアツーピア信号の送信を全て停止して、その期間に亘って第一の通信装置から生じるピアツーピア干渉を除去する。幾つかの実施形態において、前記第一の通信装置は、一定の期間に亘って一定のタイプのピアツーピア信号を送信するのを停止する一方、他のタイプの信号の送信は継続する。例えば、第一の通信装置はトラヒック信号を送信するのを停止するが、ユーザビーコン信号の送信は許容されるように制御されてよい。
【００５５】
ステップ１１２２に戻って説明すると、ステップ１１２２では、第一の通信装置がステップ１１１６又はステップ１１１８からの前記実際の送信電力レベルで、ピアツーピア信号を前記ピアツーピア通信装置に送信し、該送信電力レベルはステップ１１０６の前記決定されたピアツーピア通信電力レベルよりも小さいか又は等しい。
【００５６】
図１２は、ピアツーピア通信のためにダウンリンク周波数帯域を使用するように第一の通信装置を動作させる例示的方法のフローチャートであり、該ダウンリンク周波数帯域は第二の通信装置との通信のために基地局によって使用されるものである。第一の通信装置は例えば無線通信装置であり、これはピアツーピア通信をサポートし、また広域ネットワーク通信、例えばセルラーネットワーク通信はサポートしてもしなくてもよい。該第一の通信装置は、ピアツーピア動作モードで動作している。第二の通信装置は例えば無線通信装置であり、これは広域ネットワーク通信、例えばセルラーネットワーク通信をサポートし、またピアツーピア通信はサポートしてもしなくてもよい。該第二の通信装置は、広域ネットワーク、例えばセルラーネットワークの動作モードで動作している。
【００５７】
動作はステップ１２０２で開始され、ここでは第一の通信装置に電源が投入され、初期化されて、ステップ１２０４へと進む。ステップ１２０４では、第一の通信装置が第二の通信装置により送信された信号を受信する。幾つかの実施形態において、基地局へ送信される信号は、繰返し発生する時間スロットにおいて送信される制御信号である。種々の実施形態において、第二の通信装置により送信される信号はＣＤＭＡパイロット信号、例えば逆リンクパイロット信号である。幾つかの実施形態において、基地局に送信される信号は単一トーンのＯＦＤＭ信号、例えば単一トーンのホッピングされたＯＦＤＭ信号である。幾つかのＯＦＤＭ実施形態において、基地局へ送信される信号は専用の制御チャンネル信号である。
【００５８】
種々の実施形態において、第二の通信装置から受信される信号は、一斉通信電力参照信号である。幾つかの実施形態において、一斉通信電力参照信号は、基地局およびピアツーピア動作モードで動作する通信装置の両者によって使用される。幾つかの実施形態において、一斉通信電力参照信号は、ピアツーピア動作モードで動作している通信装置に使用されることを意図しているが、基地局に使用されることは意図していない。幾つかの実施形態では、第二の通信装置から受信される信号は、繰返し生じる時間スロットにおいて送信される信号である一方、第二の通信装置は基地局と通信している。幾つかの実施形態において、第二の通信装置から受信される信号は、条件に応答して前記第二の通信装置により送信される信号である。例えば、前記信号は、第二の通信装置における受信されたＳＮＲが許容可能なレベル以下であるときに送信される。幾つかの実施形態において、該送信される信号は、第二の通信装置が受けているピアツーピア送信干渉レベルを低減しようとして送信されているものである。
【００５９】
動作はステップ１２０４からステップ１２０６に進む。ステップ１２０６において、第一の通信装置は、受信された信号からピアツーピア信号送信電力レベル、例えば最大の許容送信電力レベルを決定する。ステップ１２０６は副ステップ１２０８、１２１０、および１２１２を含んでいる。副ステップ１２０８において、第一の通信装置はステップ１２０４から受信された信号の電力を測定し、また副ステップ１２１０では、第一の通信装置が、該第一の通信装置と現在関連付けられるべきサービスレベルを決定する。幾つかの実施形態において、該サービスレベルは、通信されるべきトラヒックのタイプおよびユーザのタイプの少なくとも一つの関数である。異なるタイプのトラヒックには、例えば、音声、遅延感受性データ、および比較的遅延非感受性のデータが含まれる。異なるタイプのユーザには、例えば、警察、消防および政府機関関連のユーザ等の緊急サービスユーザ、ネットワークプロバイダユーザ、第一レベルの商業的ユーザおよび第二レベルの商業的ユーザが含まれる。幾つかの斯かる実施形態において、第一および第二の商業レベルのユーザは、データスループット明細および待ち時間明細の少なくとも一つにおいて異なる、異った購入サービスプランが付随した購入された異なるサービスに対応する。動作は副ステップ１２０８および２１０から副ステップ１２１２へと進む。副ステップ１２１２において、第一の通信装置は前記ピアツーピア信号送信電力レベル、例えば前記最大の許容されたピアツーピア信号送信電力レベルを、前記測定された信号電力レベルおよび前記決定されたサービスレベルの関数として計算する。幾つかの実施形態において、前記第一の通信装置が緊急サービスレベルに対応するとき、前記計算は、前記第一の通信装置が非緊急サービスレベルに対応するときよりも高い送信電力レベルを生じる。
【００６０】
幾つかの実施形態において、前記最大の送信電力レベルを計算するために使用される関数は、より低い測定された信号電力レベルの場合よりも、より高い測定された信号電力レベルの場合に、より低い最大送信電力を生じる。幾つかの実施形態において、前記関数は、測定された信号電力が第一の値であるときは第一の最大送信レベルを計算し、また前記測地された信号電力が前記第一の値よりも低い第二の値であるときは、前記第一の最大送信電力レベルよりも高い第二の最大送信電力レベルを計算する。
【００６１】
種々の実施形態において、前記計算された最大送信電力レベルは、少なくとも一つのサービスレベルについて測定された信号電力レベルに反比例する範囲に亘っている。
【００６２】
幾つかの実施形態において、少なくとも一つのサービスレベル、例えば、緊急サービスレベルに対応するサービスレベルは、第二の通信装置が経験する第一の通信装置からのピアツーピア干渉をもたらし得るピアツーピア送信電力レベルを生じることができ、該干渉は、前記第二の通信装置によって送信される信号に対応した、第二の通信装置によって通信される許容可能な望ましい干渉のレベルを越えるものである。従って、幾つかの実施形態において、緊急サービスレベルは、広域ネットワーク通信装置を犠牲にして、ピアツーピア通信装置に優先性を与える。
【００６３】
幾つかの実施形態において、緊急サービスレベルに対応しないサービスレベルは、決定された最大の許容可能なピアツーピア送信電力レベルを生じるように計算され、該ピアツーピア送信電力レベルは、第二の通信装置において経験される、第二の通信装置の見地からは許容可能と思われる第一の無線通信装置からのピアツーピア干渉レベルを生じるべきである。従って、幾つかの実施形態では、非緊急のピアツーピア通信については、ピアツーピア通信を犠牲にして、広域ネットワーク通信装置が優先される。
【００６４】
動作はステップ１２０６からステップ１２１４へと進む。ステップ１２１４において、第一の通信装置は実際のピアツーピア送信電力レベルを、前記決定されたピアツーピア送信電力レベル、例えば決定された最大ピアツーピア送信電力レベルの関数として計算し、該実際のピアツーピア送信電力レベルは、前記決定された最大の許容可能な電力レベルよりも小さいか又は等しい。種々の実施形態において、ステップ１２１４は副ステップ１２１６および１２１８を含んでいる。副ステップ１２１６では、第一の通信装置はピアツーピア通信装置から信号を受信し、次いで副ステップ１２１８において、第一の通信装置は前記実際のピアツーピア送信電力レベルの計算において、前記ピアツーピア通信装置からの受信された信号に由来する情報を使用する。前記ピアツーピア通信装置からの受信された信号に由来する情報には、電力情報、チャンネル状態情報、データレート情報、位置情報および／または距離情報が含まれている。動作はステップ１２１４からステップ１２２０へと進む。
【００６５】
ステップ１２２０において、第一の通信装置は、前記実際のピアツーピア送信電力レベルで、ピアツーピア信号を前記ピア通信装置へと送信する。
【００６６】
幾つかの実施形態において、最大の送信されたピアツーピア電力レベルを計算することは、最大の送信されたピアツーピア送信電力がゼロであることを決定することを含む可能性があり、また時にはそれを含んでおり、その場合にはステップ１２１４およびステップ１２２０は実行されない。幾つかの実施形態では、実際の送信されたピアツーピア電力レベルを計算することが、該実際の電力レベルがゼロであると決定することを含む可能性があり、また時にはそれを含んでおり、その場合にはステップ１２２０は実行されない。
【００６７】
図１３は、種々の実施形態に従って、モバイル通信装置、例えばセルラー通信をサポートするモバイルノードを動作させるための例示的方法のフローチャートである。動作はステップ１３０２で開始され、ここでは、モバイル通信装置に電源が投入され且つ初期化される。動作は、開始ステップ１３０２からステップ１３０４およびステップ１３０６へと進む。
【００６８】
ステップ１３０４において、モバイル通信装置は基地局から信号を受信し、次いで、ステップ１３０８において、該モバイル通信装置は基地局からの受信された信号の電力を測定し、基地局が受信した電力情報を得る１３０９。動作はステップ１３０８からステップ１３１０へと進む。ステップ１３１０において、モバイル通信装置はピアツーピア干渉信号測定を行ってピアツーピア通信による干渉の量を測定する。該干渉は、基地局からのダウンリンク信号の復旧に影響するものである。ピアツーピア干渉情報１３１１は、ステップ１３１０の出力である。
【００６９】
ステップ１３０６に戻ると、進行中に行われるステップ１３０６では、モバイル通信装置が、ピアツーピア電力参照信号を決定するために使用される、モバイルノードの目標信号／ノイズ比を決定する。目標ＳＮＲ・１３０７は、ステップ１３０６の出力である。
【００７０】
ステップ１３１０に戻ると、動作はステップ１３１０からステップ１３１２へと進む。ステップ１３１２において、モバイル通信装置は、受信された信号１３０９の測定された電力の関数として、一斉通信されるべきピアツーピア参照信号を決定する。この実施形態において、該ピアツーピア参照信号の決定はまた、ピアツーピア干渉１３１１および目標ＳＮＲ１３０７の関数である。動作はステップ１３１２からステップ１３１４へと進む。ステップ１３１４において、該モバイル通信装置はピアツーピア参照信号を一斉通信し、該ピアツーピア参照信号は基地局からの受信された信号に基づいている。動作はステップ１３１４からステップ１３０４へと進み、ここではモバイル通信装置が基地局からもう一つの信号を受信する。
【００７１】
図１４は、種々の実施形態に従って、モバイル通信装置、例えばセルラー通信をサポートするモバイルノードを動作させる例示的方法のフローチャートである。動作はステップ１４０２で開始され、ここではモバイル通信装置に電源が投入され、初期化される。動作は開始ステップ１４０２からステップ１４０４およびステップ１４０６へと進む。
【００７２】
ステップ１４０４において、モバイル通信装置は基地局から信号を受信し、次いでステップ１４０８では、該モバイル通信装置は基地局から受信された信号の電力を測定し、基地局受信電力情報１４０９を得る。動作はステップ１４０８からステップ１４１０へと進む。ステップ１４１０において、モバイル通信装置はピアツーピア干渉信号測定を行って、ピアツーピア通信による干渉の量を測定する。該干渉は、基地局からのダウンリンク信号の復旧に影響するものである。ピアツーピア干渉情報１４１１は、ステップ１４１０の出力である。
【００７３】
ステップ１４１１に戻ると、進行しながら実施されるステップ１４０６において、モバイル通信装置は、ピアツーピア電力参照信号を決定するために使用すべきモバイルノード目標信号／ノイズ比を決定する。目標ＳＮＲ・１４０７はステップ１４０６の出力である。
【００７４】
ステップ１４１０に戻ると、動作はステップ１４１０からステップ１４１２へと進む。ステップ１４１２において、モバイル通信装置は、受信された信号の測定された電力の関数として一斉通信すべきピアツーピア参照信号を決定する。この実施形態においては、ピアツーピア参照信号の決定もまた、ピアツーピア干渉１４１１および目標ＳＮＲ・１４０７の関数である。動作はステップ１４１２からステップ１４０４へと進み、そこではモバイル通信装置が基地局からのもう一つの信号を測定する。
【００７５】
動作はまた、決定されたピアツーピア参照信号のために、ステップ１４１２からステップ１４１４へと進む。ステップ１４１４において、モバイル通信装置は、測定されたピアツーピアダウンリンク干渉が第一の閾値を越えるかどうか、および／または基地局からの信号の測定された受信電力に対する測定されたピアツーピアダウンリンク干渉の比が第二の閾値を越えるかどうかを決定する。第一および第二の閾値１４１５、ピアツーピア干渉１４１１および基地局信号受信電力１４０９が、ステップ１４１４への入力である。ステップ１４１４において、前記試験された閾値の少なくとも一方を越えたならば、動作はステップ１４１４からステップ１４１６へと進み、ここではモバイル通信装置がピアツーピア電力参照信号を一斉通信し、該ピアツーピア電力参照信号は前記基地局からの受信された信号に基づいている。もしステップ１４１４において、両方の試験条件が閾値を越える結果を生じなければ、ピアツーピア電力参照信号はこの時点では一斉通信されない。
【００７６】
幾つかの実施形態において、ステップ１４１４はステップ１４１２に先立って行われ、ピアツーピア参照信号の決定および該決定されたピアツーピア参照信号の一斉通信は、ステップ１４１４の試験の一方が限界を越えたときにのみ行われる。
【００７７】
図１５は、種々の実施例に従って、モバイル通信装置、例えばセルラー通信をサポートするモバイルノードを動作させる例示的方法のフローチャートである。動作はステップ１５０２で開始され、ここではモバイル通信装置に電源が投入され、初期化される。動作は開始ステップ１５０２からステップ１５０４、１５０６および１５０８へと進む。
【００７８】
進行中に行われるステップ１５０６において、モバイル通信装置は、ピアツーピア参照信号を決定するために使用すべきモバイルノード目標信号／ノイズ比を決定する。目標ＳＮＲ・１５０７がステップ１５０６の出力である。進行しながら行われるステップ１５０８において、モバイル通信装置は、該モバイル通信装置の見地からダウンリンク信号品質を決定する。ダウンリンク信号品質１５０９がステップ１５０８の出力である。
【００７９】
ステップ１５０４に戻ると、ステップ１５０４においては、モバイル通信装置が基地局からの信号を受信し、次いでステップ１５１０において、該モバイル通信装置は基地局から受信された信号の電力を測定して、基地局受信電力情報１５１１を得る。動作はステップ１５１０からステップ１５１２へと進む。ステップ１５１２において、モバイル通信装置はピアツーピア干渉信号測定を行って、ピアツーピア通信による干渉の量を測定し、該干渉は基地局からのダウンリンク信号の復旧に影響を与える。ピアツーピア干渉情報１５１３がステップ１５１２の出力である。
【００８０】
ステップ１５１２に戻ると、動作はステップ１５１２からステップ１５１４へと進む。ステップ１５１４において、モバイル通信装置は、受信信号１５１１の測定された電力の関数として一斉通信すべきピアツーピア参照信号１５１５を決定する。この実施形態では、ピアツーピア参照信号の決定もまた、ピアツーピア干渉１５１３および目標ＳＮＲの関数である。動作はステップ１５１４からステップ１５０４へと進み、ここではモバイル通信装置が基地局からのもう一つの信号を測定する。
【００８１】
動作はまた、決定されたピアツーピア参照信号のためにステップ１５１４からステップ１５１６へと進む。ステップ１５１６において、モバイル通信装置は、ダウンリンク信号品質が閾値未満に低下したかどうかを決定する。閾値情報１５１７およびダウンリンク信号品質１５０９が、ステップ１５１６の入力である。ステップ１５１６において、モバイル通信装置が、ダウンリンク信号品質は許容可能な閾値未満に低下したことを決定したならば、動作はステップ１５１６からステップ１５１８へと進み、そこではモバイル通信装置がピアツーピア参照信号１５１５を一斉通信し、該ピアツーピア信号１５１５は基地局からの受信信号に基づいている。ステップ１５１６において、ダウンリンク信号品質が閾値に合致し、またはこれを越えていると決定されたならば、ピアツーピア電力参照信号はこの時点では一斉通信されない。従って、ピアツーピア参照信号は必要なときに選択的に一斉通信されて、近隣のピアツーピア装置の送信電力レベルを抑制し、従って該モバイル通信装置の受信器が受けているピアツーピア干渉を低減しようと試みる。ダウンリンク信号品質がモバイル通信装置の見地から許容可能と看做されるときは、該モバイル通信装置は進行中のピアツーピア動作に影響を与える必要性を感じることはなく、従ってピアツーピア電力参照信号を一斉通信せず、それによって不要なオーバーヘッドシグナリングおよび価値あるエアリンク資源の浪費を排除する。
【００８２】
幾つかの実施形態において、ステップ１５０６は、フローチャートにおいて、例えばステップ１５１２および１５１４の一以上の前に繰り上げられる。例えば、幾つかの実施形態において、モバイル通信装置は、ダウンリンク信号品質が許容可能な閾値未満にまで低下しなければ、ピアツーピア参照信号を決定または一斉通信しない。
【００８３】
図１６は、例示的通信装置１６００、例えばピアツーピア通信をサポートするモバイルノードのような無線端末の図である。例示的無線通信装置１６００は、ピアツーピア通信をサポートートするが、広域ネットワーク、例えばセルラー通信をサポートしない無線通信装置であってよい。或いは、例示的無線通信装置１６００は、ピアツーピア通信および広域ネットワーク、例えばセルラー通信の両方をサポートする無線通信装置であってよい。通信装置１６００は、ピアツーピア通信のためにダウンリンク周波数帯域の使用をサポートし、該ダウンリンク周波数帯域は、第二の通信装置と通信するために基地局によって使用される。種々の実施形態において、通信装置１６００は、基地局ダウンリンク周波数帯域を利用するピアツーピア通信についてはＴＤＤモードで動作して、基地局からのダウンリンク信号を回復しようとし、ここで通信装置１６００によって送信されるピアツーピア信号の少なくとも幾つかはＷＡＮ無線端末、例えばセルラー無線端末の見地からの干渉を形成する。
【００８４】
例示的通信装置１６００は、バス１６１２を介して一緒に接続された受信機モジュール１６０２、送信機モジュール１６０４、プロセッサ１６０６、ユーザＩ／Ｏ装置１６０８、およびメモリー１６１０を含んでおり、前記バス上では種々の素子がデータおよび情報を交換してよい。メモリー１６１０は、ルーチン１６１８およびデータ／情報１６２０を含んでいる。プロセッサ１６０６、例えばＣＰＵはルーチン１６１８を実行し、メモリー１６１０の中のデータ／情報１６２０を使用して通信装置１６００の動作を制御し、また方法を実施する。
【００８５】
受信機モジュール１６０２、例えばＯＦＤＭ受信機は受信アンテナ１６１４に接続され、該アンテナを介して通信装置は信号を受信する。受信された信号は、他のピアツーピア通信装置、例えばピアツーピアモードの動作で機能する無線端末からの信号、およびＷＡＮ通信装置、例えばセルラーモードの動作で機能する無線端末からの信号を含んでいる。
【００８６】
送信機モジュール１６０４、例えばＯＦＤＭ送信機は、送信アンテナ１６１６に接続され、これを介して通信装置１６００は信号を送信する。送信される信号は、ピアツーピア通信装置への信号を含んでいる。送信機モジュール１６０４は、決定されたピアツーピアの最大の許容送信電力レベル以下の実際の電力レベルで、ピアツーピア信号をピアツーピア通信装置へと送信する。種々の実施形態において、送信機および受信機のために同じアンテナ（一つまたは複数）が使用される。
【００８７】
ユーザＩ／Ｏ装置１６０８は、例えばマイクロホン、キーボード、キーパッド、マウス、カメラ、スピーカ、ディスプレー等を含んでいる。ユーザＩ／Ｏ装置１６０８は、通信装置１６００の動作が、データ情報を入力し、出力データ／情報にアクセスし、また通信装置１６００の少なくとも幾つかの機能を制御すること、例えばピアツーピア通信セッションを開始することを可能にする。
【００８８】
ルーチン１６１８は、通信ルーチン１６２２および無線端末制御ルーチン１６２４を含んでいる。通信ルーチン１６２２は、通信装置１６００が使用する種々の通信プロトコルを実施する。無線端末制御ルーチン１６２４は、ピアツーピア信号送信電力レベル決定モジュール１６２６、受信信号電力測定モジュール１６３０、サービスレベル同定モジュール１６３２、ピアツーピア送信電力制御ループモジュール１６３４、およびピアツーピア送信電力制御モジュール１６３６を含んでいる。
【００８９】
データ／情報１６２０は、第二の通信装置からの受信信号１６３８、受信信号の対応する測定された電力レベル１６４０、決定された最大許容送信電力レベル１６４２、同定された現在のサービスレベル１６４４、決定された計画ピアツーピア送信電力レベル１６４６、ピアツーピア通信装置からの受信信号１６５２、決定された実際のピアツーピア送信電力レベル１６４８、および反復タイミング構造情報１６５０を含んでいる。
【００９０】
ピアツーピア信号送信電力レベル決定モジュール１６２６は、ピアツーピア信号送信電力レベル、例えば最大の許容されたピアツーピア送信電力レベルを、第二の通信装置により送信された受信信号、例えば第二の通信装置からの受信信号１６３８から決定する。該第二の通信装置は、例えば、セルラーモードの動作で動作し、且つピアツーピアシグナリングのために通信装置１６００により使用されているのと同じ通信帯域で基地局からのダウンリンク信号を受信する無線端末である。決定されたピアツーピアの最大許容送信電力レベル１６４２が、決定モジュール１６２６の出力である。ピアツーピア信号送信電力レベル決定モジュール１６２６は、計算副モジュール１６２８を含んでいる。計算副モジュール１６２８は、最大送信電力レベルを、測定された信号電力レベルの関数、例えば受信信号の測定された電力レベル１６４０の関数として計算する。
【００９１】
受信信号電力測定モジュール１６３０は、受信された信号の電力を測定して、測定された信号電力レベルを得る。例えば、受信信号電力測定モジュール１６３０は、第二の通信装置１６３８から受信した信号の受信電力を測定し、計算副モジュール１６２８への入力として使用される受信信号の測定された電力レベル１６４０を得る。たとえ通信装置１６００がピアツーピア通信モードで動作中であっても、それはピアツーピア送信電力レベルに影響しているＷＡＮ、例えばセルラー通信装置からの信号を受信および測定していることに注目すべきである。
【００９２】
幾つかの実施形態において、第二の通信装置から受信される信号は、基地局に向けられた信号である。この基地局に向けられた信号は、例えば、反復する時間スロットで送信される制御信号である。幾つかの実施形態において、基地局に向けられる信号はｃｄｍａパイロット信号、例えば逆リンクパイロット信号である。幾つかの実施形態において、基地局に向けられる信号は単一トーンのホップＯＦＤＭ信号、例えば専用の制御チャンネル信号である。
【００９３】
幾つかの実施形態において、第二の通信装置から受信される信号は、一斉通信電力参照信号である。幾つかの斯かる実施形態において、この一斉通信電力参照信号は、第二の通信装置近くに存在し、且つ第二の通信装置により基地局からのダウンリンク信号の受信および回復を妨害し得るピアツーピア無線端末からの干渉を制御する目的で、意図的に発生および送信される。
【００９４】
サービスレベル同定モジュール１６３２は、通信装置１６００に対応する現在のサービスレベルを同定する。同定された現在のサービスレベル１６４４は、サービスレベル同定モジュール１６３２の出力を表す。種々の実施形態において、最大送信電力レベルを計算するために使用される関数は、第一の通信装置１６００に対応するサービスレベルに依存する。
【００９５】
幾つかの実施形態において、同定されたサービスレベルが緊急サービスレベルに対応するとき、最大送信電力レベルを決定するために使用される関数は、該関数が使用する少なくとも一組の入力変数、例えば同じ測定された電力レベルの受信信号について、サービスレベルが非緊急サービスに対応するときよりも高い最大送信電力レベルを生じる。
【００９６】
ピアツーピア送信電力制御ループモジュール１６３４は、ピア通信装置から受信した信号、例えばピアツーピア通信装置から受信された信号１６５２に基づいて、計画されたピアツーピア送信電力レベルを決定する。
【００９７】
受信された信号を送信したピアツーピア通信装置は、例えば、通信装置１６００が進行中のピアツーピア通信セッションを持ち、または持とうとした通信装置である。決定された計画ピアツーピア送信電力レベル１６４６が、モジュール１６３４の出力である。幾つかの実施形態において、該決定された計画ピアツーピア送信電力レベル１６４６は、それが基地局からのダウンリンク信号を回復しようとするＷＡＮ無線端末に対する干渉要因によって影響されないならば、通信装置１６００が使用しようとし、また使用したであろうピアツーピア送信電力レベルである。
【００９８】
ピアツーピア送信電力制御モジュール１６３６は、計画されたピアツーピア送信電力レベルが決定された最大許容ピアツーピア送信電力レベルよりも小さいときには、実際のピアツーピア送信電力レベル１６４８を計画された送信電力レベルに設定する。幾つかの実施形態において、ピアツーピア送信電力制御モジュール１６３６は、計画されたピアツーピア送信電力レベルが決定された最大の許容されるピアツーピア送信電力レベル以上であるときには、実際のピアツーピア送信電力レベル１６４８を最大許容ピアツーピア送信電力レベルに設定する。幾つかの実施形態において、前記設定は、ピアツーピア信号が向けられるべきピアツーピア通信装置が、最大の許容されたピアツーピア送信電力レベルで送信されれば、前記信号を首尾よく復号および回復する許容可能な見積もられた可能性を有することを推定する通信装置１６００を条件とする。幾つかの斯かる実施形態において、首尾よい復号および回復の推定された可能性が許容不能であれば、通信装置１６００はピアツーピア信号を送信するのを控える。
【００９９】
種々の実施形態において、ピアツーピア送信電力レベル、例えば最大の許容されたピアツーピア送信電力レベルを決定するために使用される関数は、より低い測定された信号電力レベルについてよりも、より高い測定された信号電力レベルについて、より低い最大送信電力レベルを生じる。例えば、前記関数についての出力 vs 入力特性極性は、入力範囲の少なくとも一部について負の傾斜値を有する。幾つかの斯かる実施形態において、該曲線は一端または両端において平坦化、例えば飽和する。
【０１００】
種々の実施形態において、ピアツーピア送信電力レベル、例えば最大許容ピアツーピア送信電力レベルを決定するために使用される関数は、前記測定された電力が第一の値のときには第一の最大送信電力レベルを計算し、また前記測定された信号が前記第一の値よりも低いときには、前記第一の最大送信電力レベルよりも高い第二の最大送信電力レベルを計算する。
【０１０１】
幾つかの実施形態において、ピアツーピア送信電力レベル、例えば最大の許容されるピアツーピア送信電力レベルを決定するために使用される関数は、測定された信号電力レベルの範囲について、測定された信号電力レベルに反比例する。
【０１０２】
図１７は、種々の実施形態に従う例示的モバイル通信装置１７００の図である。例示的モバイル通信装置１７００は、例えば、広域ネットワーク（ＷＡＮ）、例えばセルラー通信をサポートするモバイルノードのような例示的モバイル無線通信ノードである。例示的通信装置１７００は、該通信装置１７００のためのネットワーク接続点として作用する基地局からダウンリンク通信帯域でダウンリンク信号を受信する。該ダウンリンク通信帯域はまた、少なくとも部分的にはピアツーピア通信のために利用され、該ピアツーピア通信はモバイル通信装置１７００によるダウンリンク信号の受信を妨害する可能性があり、時には該受信を妨害する。モバイル通信装置１７００は、それが一斉通信するピアツーピア電力参照信号を発生および送信する。該一斉通信ピアツーピア電力参照信号は、近隣にあるピアツーピア通信装置によって、それらの送信電力レベルを決定する際に使用されることを意図している。従って、モバイル通信装置１７００は、ピアツーピアシグナリングの電力レベルに対する制御、従ってピアツーピア装置を発生源とする干渉の量に対する制御を提供し、該干渉は、基地局からのダウンリンク信号のモバイル通信装置１７００による受信および回復を妨害するものである。
【０１０３】
モバイル通信装置１７００は、無線受信機モジュール１７０２、無線送信機モジュール１７０４、プロセッサ１７０６、ユーザＩ／Ｏ装置１７０８、およびその上で種々の素子がデータおよび情報を交換し得るバス１７１２を介して一緒に結合されたメモリー１７１０を含んでいる。プロセッサ１７０６、例えばＣＰＵはルーチン１７１８を実行し、メモリー１７１０の中のデータ／情報１７２０を使用して、通信装置１７００の動作を制御し、方法を実施する。
【０１０４】
受信機モジュール１７０２、例えばＯＦＤＭ受信機は受信アンテナ１７１４に接続され、該アンテナを介して、通信装置１７００はネットワーク接続点として働く基地局からのダウンリンク信号を受信する。受信機モジュール１７０２によって受信される同じダウンリンク帯域で通信されているピアツーピア信号は、干渉の発生源を表す。他の基地局、例えば近隣のセルにおける基地局からの、同じダウンリンク帯域上で通信される望ましくないダウンリンク信号は、受信機モジュール１７０２によって受信されることができ、また時には該受信機モジュールによって受信され、従ってこれも干渉を表す。
【０１０５】
送信機モジュール１７０４、例えばＯＦＤＭ送信機は送信アンテナ１７１６に接続され、該アンテナを介して、通信装置１７００は基地局接続点に向けられたアップリンク信号、および近隣場所にあるピアツーピア無線端末のためを意図したピアツーピア電力参照信号を送信する。送信機モジュール１７０４によって一斉通信されるこのピアツーピア電力参照信号は、基地局からの受信されえた信号に基づいている。
【０１０６】
ユーザＩ／Ｏ装置１７０８は、例えばマイクロホン、キーボード、キーパッド、マウス、カメラ、スイッチ類、スピーカ、ディスプレー等を含んでいる。ユーザＩ／Ｏ装置１７０８は、モバイル通信装置１７００のユーザがデータ／情報を入力し、出力データ／情報にアクセスし、また通信装置１７００の少なくとも幾つかの機能を制御すること、例えばセルラーベースの通信セッションを開始することを可能にする。
【０１０７】
ルーチン１７１８は、通信ルーチン１７２２および無線端末制御ルーチン１７２４を含んでいる。通信ルーチン１７２２は、モバイル通信装置１７００により使用される種々の通信プロトコルを実行する。無線端末制御ルーチン１７２４は、電力測定モジュール１７２６、参照信号決定モジュール１７２８、モバイルノード目標ＳＮＲ決定モジュール１７３０、干渉決定モジュール１７３２および送信制御モジュール１７３４を含んでいる。種々の実施形態において、ルーチン１７２４は、ピアツーピア干渉信号測定モジュール１７３６、干渉レベル評価モジュール１７３８、およびダウンリンク品質モジュール１７４０のうちの１以上を含んでいる。
【０１０８】
データ／情報１７２０は、受信された基地局ダウンリンク信号１７４２、受信された基地局信号電力レベル情報１７４４、決定されたピアツーピア参照信号１７４６、ダウンリンク信号についてのモバイル目標ＳＮＲ１７４８、測定された干渉電力レベル１７５０、モバイル目標ＳＮＲの干渉電力レベルに対する比１７５２、および反復スケジュール情報１７６２を含んでいる。種々の実施形態において、データ／情報１７２０は、ピアツーピア通信によるダウンリンク干渉の量１７５４、干渉レベル閾値１７５６、干渉に基づく閾値１７５８、干渉レベル評価結果１７６０、ダウンリンク品質情報１７６６、およびダウンリンク品質閾値情報１７６８のうちの１以上を含んでいる。
【０１０９】
電力測定モジュール１７２６は、基地局からの受信信号の電力を測定する。例えば、電力測定モジュール１７２６は、受信された基地局ダウンリンク信号１７４２の電力を測定し、受信された基地局信号電力レベル情報１７４４を得る。一つの例示的実施形態において、該受信された基地局信号はパイロットチャンネル信号である。
【０１１０】
参照信号決定モジュール１７２８は、測定された電力の関数として一斉通信されるべきピアツーピア電力参照信号を決定する。例えば、決定されたピアツーピア電力参照信号１７４６は、受信された基地局信号電力レベル情報１７４４を入力として使用する参照信号決定モジュール１７２８の出力である
種々の実施形態において、参照信号決定モジュール１７２８は、測定された受信電力が低い時点よりも測定された受信電力が高いときに、より低い送信電力を有する参照電力を発生する。幾つかの実施形態において、参照信号決定モジュール１７２８は、より高い受信電力に応答して、より低い電力レベルを持った参照信号を発生する。例えば、受信された基地局信号の測定された電力レベルは、斯かる基地局信号が測定された最後の時点から増大しており、これに応答して、参照信号決定モジュール１７２８は、先に送信した参照信号よりも低い電力レベルを有する新たな参照信号を発生する。
【０１１１】
幾つかの実施形態において、参照信号決定モジュール１７２８は、基地局からの信号の基地局からの信号の測定された電力がより低い別の時点でよりも、測定された電力が大きいときに、より高い許容されたピアツーピア送信電力レベルを指示する参照信号を発生する。
【０１１２】
種々の実施形態において、一斉通信ピアツーピア参照信号の送信電力レベルは、最大ピアツーピア送信電力を通信するため使用される。幾つかの実施形態において、参照信号のより高い送信電力は、より低い許容されたピアツーピア送信電力レベルを示す。
【０１１３】
幾つかの実施形態において、ピアツーピア電力参照信号を決定するために使用される測定された電力の関数は、基地局からモバイル通信装置１７００へ通信されるダウンリンク信号についてのモバイルノードの目標信号／ノイズ比に依存する。幾つかの実施形態において、参照信号決定モジュール１７２８は、目標信号／ノイズ比が、目標信号／ノイズ比のより低い少なくともある時点におけるよりも高いときに、より高い送信電力を有する参照信号を発生する。例えば、ダウンリンク信号についてのより高いＳＮＲを達成しようとするために、モバイル装置１７００は、その近隣におけるピアツーピア送信電力レベルを低下させる試みにおいてピアツーピア送信電力参照信号を増大させ、それによって斯かるピアツーピア装置を発生源とする干渉を減少させる。
【０１１４】
モバイルノード目標信号／ノイズ比決定モジュール１７３０は、基地局から受信した信号の測定された信号電力および測定された干渉電力レベルの比から、モバイル目標信号／ノイズ比を決定する。ダウンリンク信号のためのモバイル目標ＳＮＲ１７４８がモジュール１７３０の出力であるのに対して、受信された基地局電力レベル情報１７４４および測定された干渉電力レベル情報１７５０は、モジュール１７３０への入力である。
【０１１５】
干渉決定モジュール１７３２は、測定された干渉電力レベル１７５０を決定する。幾つかの実施形態、例えば近隣の基地局が同じダウンリンク周波数帯域を使用する幾つかの実施形態において、測定された干渉電力レベルは、主に他の基地局からの干渉に起因するものである。種々の実施形態において、測定された干渉は、他の基地局を発生源とするダウンリンク信号およびピアツーピアシグナリングの組合せであり、相対的な寄与は、他の基地局およびピアツーピア通信装置に対するモバイル通信装置１７００の位置、並びにモバイル通信装置１７００が使用しているダウンリンク帯域で行われる他の基地局ダウンリンクシグナリングおよびピアツーピアシグナリングの関数として、経時的に変化する。幾つかの実施形態、例えば近隣の基地局が異なる非重畳ダウンリンク周波数帯域を使用する幾つかの実施形態において、測定された干渉電力は、モバイル通信装置１７００がダウンリンク信号を受信および回復するために使用しているのと同じダウンリンク帯域で行われるピアツーピア通信に起因する。
【０１１６】
送信制御モジュール１７３４は、送信機モジュール１７０４を制御して、例えば反復タイミングスケジュールにおける反復する送信機会位置に従って、発生され決定されたピアツーピア電力参照信号１７４６を送信する。反復スケジュール情報１７６２は、ピアツーピア電力参照信号の一斉通信間隔を同定する情報１７６４を含んでいる。
【０１１７】
幾つかの実施形態において、送信制御モジュール１７３４は、送信モジュール１７０４を制御して、反復スケジュール情報に従う予め定められたパターンに従って、ピアツーピア電力参照信号を反復ベースで一斉通信する。例えば一つの例示的実施形態において、モバイル通信装置１７００に電源が投入され且つネットワーク接続点として基地局を使用するＷＡＮ動作の活性な状態において、該モバイル通信装置１７００は、情報１７６４によって同定される各機会において、ピアツーピア電力参照信号を送信する。他の実施形態において、ピアツーピア電力参照信号の一精通信は条件付きである。
【０１１８】
ピアツーピア干渉信号測定モジュール１７３６は、ピアツーピア干渉信号測定を実行して、ピアツーピア通信に起因するダウンリンク干渉の量を測定する。ピアツーピア通信１７５４に起因するダウンリンク干渉の量が、モジュール１７３６の出力である。種々の実施形態において、ピアツーピア干渉測定モジュール１７３６は、ピアツーピア起源の干渉を、他の干渉源、例えばダウンリンク信号受信に関してモバイル通信装置が受けている全体のバックグラウンド干渉の中に存在し得る他の基地局から識別する。幾つかの実施形態において、ピアツーピア信号干渉測定モジュール１７３６は、観察される干渉における変化を観察および測定するために、制御された入力量によってピアツーピア電力参照信号を意図的に変化させる。干渉の非ピアツーピア発生源は一定のまま残ると仮定すると、検出された干渉における変化はピアツーピアシグナリング源と関連付けられることができる。幾つかの実施形態、例えば基地局が同期される幾つかの実施形態において、ダウンリンクシグナリングが、当該ダウンリンク帯域の幾つかまたは全てのトーンにおいて意図的に中断され、斯かる時間の間にピアツーピアシグナリングからの干渉寄与が測定され得る場合が存在し得る。幾つかの実施形態、例えばピアツーピアシグナリングが反復タイミング構造に従う幾つかの実施形態において、ピアツーピアシグナリングがダウンリンク帯域の幾つかまたは全てのトーンで意図的に中断され、斯かる時間の間に他の発生源、例えば他の基地局からの干渉寄与が測定され得る場合が存在し得る。
【０１１９】
干渉レベル評価モジュール１７３８は、ｉ）測定されたピアツーピアダウンリンク干渉が第一の閾値を越えるかどうかを決定すること、およびｉｉ）測定されたピアツーピアダウンリンク干渉の、基地局からの信号の測定された受信電力に対する比が第二の閾値を越えるかどうかを決定することのうちの少なくとも一つを実行する。第一の閾値は、例えば保存された干渉レベル閾値１７５６であるのに対して、第二の閾値は、例えば保存された干渉に基づく閾値１７５８である。干渉レベル評価モジュール１７３６に対する入力には、ピアツーピア通信に起因するダウンリンク干渉の量１７５４および受信されが基地局信号電力レベル情報１７４４が含まれるのに対して、干渉レベル評価試験結果１７６０は評価モジュール１７３８の出力である。。
【０１２０】
干渉レベル評価モジュール１７３８を含む種々の実施形態において、送信制御モジュール１７３４は、試験されたレベルを超えてしまったことを決定する前記干渉レベル評価モジュール１７３８に応答して、ピアツーピア電力参照信号を一斉通信するように送信機を制御する。
【０１２１】
幾つかの斯かる実施形態において、モバイル通信装置１７００は、ピアツーピア無線端末が送信電力を低下させること、および／または送信を停止することを望むときを除いて、例えば閾値レベルを超えたことに応答する場合を除き、ピアツーピア電力参照信号を送信することに関してピアツーピア通信装置を妨げない。
【０１２２】
ダウンリンク品質モジュール１７４０は、ダウンリンク信号品質、例えばダウンリンクチャンネル評価の決定および維持をモニターする。ダウンリンク信号品質情報１７６６は、ダウンリンク品質モジュール１７４０の出力である。幾つかの実施形態において、送信制御モジュール１７３４は送信機モジュール１７０４を制御して、ダウンリンク品質モジュール１７４０に応答してピアツーピア参照信号を一斉通信し、ダウンリンク信号品質が閾値（例えば保存されたダウンリンク品質閾値１７６８）未満に劣化したしたことを検出する。
【０１２３】
ＯＦＤＭシステムに関して主に説明したが、種々の実施形態の方法および装置は、非ＯＦＤＭおよび／または非セルラーシステムを含む広範な通信システムに適用可能である。幾つかの例示的システムは、ピアツーピアシグナリングにおいて利用される技術の混合、例えば幾つかのＯＦＤＭ型の信号および幾つかのＣＤＭＡ型の信号を含んでいる。幾つかの実施形態は、同じ周波数帯域を共有するピアツーピア通信においてよりも、セルラー通信において異なるシグナリング技術を使用する。
【０１２４】
種々の実施形態において、ここに記載するノードは、一以上の方法に対応するステップ、例えばピアツーピア送信電力レベル参照信号を受信すること、最大許容ピアツーピア送信電力レベルを決定すること、実際のピアツーピア送信電力レベルを決定すること、ピアツーピア信号を送信すること、ピアツーピアシグナリングからの干渉のレベルを測定すること、ピアツーピア参照信号を決定すること、ピアツーピア参照信号を送信すること等を実行するための一以上のモジュールを使用して実施される。幾つかの実施形態においては、モジュールを使用して種々の特徴が実施される。斯かるモジュールは、ソフトウエア、ハードウエア、またはソフトウエアおよびハードウエアの組み合わせを使用して実施されてよい。上記の方法または方法ステップの多くは、機械で実行可能な命令、例えばメモリー装置（例えばＲＡＭ、フロッピー（登録商標）ディスク等）のような機械読み取り可能な媒体中に含まれたソフトウエアを使用して実施されて、機械、例えば追加のハードウエアを具備しまたは具備しない汎用コンピュータを制御し、また上記方法の全部または一部を一以上のノードで実施することができる。従って、中でも、種々の実施形態は機械、例えばプロセッサおよび付属のハードウエアに一以上のステップを実行させて上記方法の一以上のステップを行うための、機械で実行可能な命令を含んだ機械読み取り可能な媒体に向けられている。
【０１２５】
上記説明を考慮すれば、当業者には、上記で述べた方法および装置に対する多くの追加の変形例が明らかであろう。このような変形例は範囲内のものと看做されるべきである。種々の実施形態の方法および装置は、アクセスノードとモバイルノードの間の無線通信リンクを提供するために使用されてよいＣＤＭＡ、直行周波数分割多重送信（ＯＦＤＭ）、および／または種々の他のタイプの通信技術と共に使用されてよく、種々の実施形態ではこれら技術と共に使用される。幾つかの実施形態において、アクセスノードはＯＦＤＭおよび／またはＣＤＭＡを使用して、モバイルノードとの通信リンクを樹立する基地局として実施される。種々の実施形態において、モバイルノードは、種々の実施形態の方法を実施するためのノートブックコンピュータ、パーソナルデータアシスタント（ＰＤＡ）、または受信器／送信機回路ならびに論理および／またはルーチンを含む他の携帯装置として実施される。
【図１】
2010532967.tif 000003
【図２】
2010532967.tif 000004
【図３】
2010532967.tif 000005
【図４】
2010532967.tif 000006
【図５】
2010532967.tif 000007
【図６】
2010532967.tif 000008
【図７】
2010532967.tif 000009
【図８】
2010532967.tif 000010
【図９】
2010532967.tif 000011
【図１０】
2010532967.tif 000012
【図１１】
2010532967.tif 000013
【図１２】
2010532967.tif 000014
【図１３】
2010532967.tif 000015
【図１４】
2010532967.tif 000016
【図１５】
2010532967.tif 000017
【図１６】
2010532967.tif 000018
【図１７】
2010532967.tif 000019
【国際調査報告】
2010532967.tif 000020
2010532967.tif 000021
2010532967.tif 000022
2010532967.tif 000023